(57)【要約】【課題】本発明の一実施例に係る対象ユーザを分類するための方法および装置が提供される。【解決手段】ユーザを分類するための方法は、少なくとも一つのユーザ端末からユーザ情報を受信するステップ、前記受信されたユーザ情報を利用して前記少なくとも一つのユーザを分類するための第１質問情報を決定するステップ、前記決定された第１質問情報を前記少なくとも一つのユーザ端末に伝達するステップ、前記少なくとも一つのユーザ端末から第１質問情報に対する応答として第１応答情報を受信するステップ、前記受信された第１応答情報に基づいて前記少なくとも一つのユーザを既設定された第１応答カテゴリによって分類するステップ、および前記分類された少なくとも一つのユーザに対する情報を格納するステップを含む。【選択図】図４
2019102045.tif 000002
【特許請求の範囲】
【請求項１】
少なくとも一つのユーザの端末からユーザ情報を受信するステップ；
前記受信されたユーザ情報を利用して前記少なくとも一つのユーザを分類するための第１質問情報を決定するステップ；
前記決定された第１質問情報を前記少なくとも一つのユーザの端末に伝達するステップ；
前記少なくとも一つのユーザの端末から第１質問情報に対する応答として第１応答情報を受信するステップ；
前記受信された第１応答情報に基づいて前記少なくとも一つのユーザを既設定された第１応答カテゴリによって分類するステップ；および
前記分類された少なくとも一つのユーザに対する情報を格納するステップを含むことを特徴とする対象ユーザを分類するための方法。
【請求項２】
前記第１応答カテゴリは、
前記第１質問情報に関して前記少なくとも一つのユーザが答弁できる第１応答の種類を含むことを特徴とする請求項１に記載の対象ユーザを分類するための方法。
【請求項３】
前記第１応答の種類は、
第１肯定応答および第１否定応答を含むことを特徴とする請求項２に記載の対象ユーザを分類するための方法。
【請求項４】
前記第１応答情報に基づいて前記少なくとも一つのユーザを前記第１応答カテゴリによって分類するステップは、
前記第１応答情報が前記第１肯定応答を含めば、前記少なくとも一つのユーザを特定主題に関連した第１コンテンツを提供するための第１対象ユーザに分類するステップを含むことを特徴とする請求項３に記載の対象ユーザを分類するための方法。
【請求項５】
前記第１応答情報に基づいて前記少なくとも一つのユーザを前記第１応答カテゴリによって分類するステップは、
前記第１応答情報が前記第１否定応答を含めば、前記少なくとも一つのユーザを特定主題に関連した第２コンテンツを提供するための第２対象ユーザに分類するステップを含むことを特徴とする請求項３に記載の対象ユーザを分類するための方法。
【請求項６】
前記第１応答情報に基づいて前記少なくとも一つのユーザを前記第１応答カテゴリによって分類するステップは、
前記第１応答情報が前記第１否定応答を含めば、前記第１否定応答をした少なくとも一つのユーザを分類するための第２質問情報を決定するステップ；
前記決定された第２質問情報を前記第１否定応答を伝達した少なくとも一つのユーザの端末に伝達するステップ；および
前記第１否定応答を伝達した少なくとも一つのユーザの端末から前記第２質問情報に対する応答として第２応答情報を受信するステップ；および
前記受信された第２応答情報に基づいて前記第１否定応答をした少なくとも一つのユーザを既設定された第２応答カテゴリによって分類するステップ；および
前記第２応答カテゴリによって分類された少なくとも一つのユーザに対する情報を格納するステップを含むことを特徴とする請求項３に記載の対象ユーザを分類するための方法。
【請求項７】
前記第２応答カテゴリは、
前記第２質問情報に関して前記第１否定応答をした少なくとも一つのユーザが答弁できる第２応答の種類を含むことを特徴とする請求項６に記載の対象ユーザを分類するための方法。
【請求項８】
前記第２応答の種類は、
第２肯定応答および第２否定応答を含むことを特徴とする請求項７に記載の対象ユーザを分類するための方法。
【請求項９】
前記受信された第２応答情報に基づいて前記第１否定応答をした少なくとも一つのユーザを前記第２応答カテゴリによって分類するステップは、
前記第２応答情報が前記第２肯定応答を含めば、前記第１否定応答をした少なくとも一つのユーザを特定主題に関連した第３コンテンツを提供するための第３対象ユーザに分類するステップを含むことを特徴とする請求項８に記載の対象ユーザを分類するための方法。
【請求項１０】
前記受信された第２応答情報に基づいて前記少なくとも一つのユーザを前記第２応答カテゴリによって分類するステップは、
前記第２応答情報が前記第２否定応答を含めば、前記第１否定応答をした少なくとも一つのユーザを特定主題に関連した第４コンテンツを提供するための第４対象ユーザに分類するステップを含むことを特徴とする請求項８に記載の対象ユーザを分類するための方法。
【請求項１１】
前記第１応答カテゴリは、
前記第１質問情報に関して前記少なくとも一つのユーザの好みによって前記少なくとも一つのユーザが答弁できる第３応答の種類を含むことを特徴とする請求項１に記載の対象ユーザを分類するための方法。
【請求項１２】
前記第３応答の種類は、
前記少なくとも一つのユーザの好みを示すキーワードを含むことを特徴とする請求項１１に記載の対象ユーザを分類するための方法。
【請求項１３】
前記受信された第１応答情報に基づいて前記少なくとも一つのユーザを前記第１応答カテゴリによって分類するステップは、
前記第１応答情報が前記キーワードを含めば、前記少なくとも一つのユーザを前記キーワードに関連したコンテンツを提供するための対象提供者に分類するステップを含むことを特徴とする請求項１２に記載の対象ユーザを分類するための方法。
【請求項１４】
通信インターフェース；
メモリ、および
前記通信インターフェースおよび前記メモリと連結されるプロセッサを含み、
前記プロセッサは、
少なくとも一つのユーザの端末からユーザ情報を受信し、
前記受信されたユーザ情報を利用して前記少なくとも一つのユーザを分類するための第１質問情報を決定し、
前記決定された第１質問情報を前記少なくとも一つのユーザの端末に伝達し、
前記少なくとも一つのユーザの端末から第１質問情報に対する応答として第１応答情報を受信し、
前記受信された第１応答情報に基づいて前記少なくとも一つのユーザを既設定された第１応答カテゴリによって分類し、
前記分類された少なくとも一つのユーザに対する情報を格納することを特徴とする対象ユーザを分類するための装置。
【請求項１５】
少なくとも一つのユーザの端末からユーザ情報を受信し、
前記受信されたユーザ情報を利用して前記少なくとも一つのユーザを第１対象ユーザに分類するための第１質問情報を決定し、
前記決定された第１質問情報を前記少なくとも一つのユーザの端末に伝達し、
前記少なくとも一つのユーザの端末から第１質問情報に対する応答として第１応答情報を受信し、
前記受信された第１応答情報に基づいて前記少なくとも一つのユーザを既設定された第１応答カテゴリによって分類し、
前記分類された少なくとも一つのユーザに対する情報を格納する、対象ユーザを分類するための方法を提供する命令語を格納することを特徴とするコンピュータで読み取り可能な記録媒体。  
【発明の詳細な説明】
【技術分野】
【０００１】
本発明は、対象ユーザを分類するための方法および装置に関する。
【背景技術】
【０００２】
インターネットのようなネットワークの発展に伴い、様々な分野の数多くの情報が社会構成員の間で共有されている。各社会構成員は、単に情報を得ることに留まらず、自身の意見を様々なネットワークを通して他の社会構成員に提供することで、自身の意思が該当分野で反映されることを希望している。このように、社会構成員の現実参与意志の増大によって、様々な製品を販売する販売会社または様々な製品に対する広告を提供する広告会社等は、社会構成員の考えまたは意見等を確認するためにアンケート調査を実施している。
【０００３】
近年は、アンケート調査に参加するユーザを予め募集してユーザの情報を管理し、ユーザが電子メール、ショートメッセージサービス（ＳＭＳ）、メッセンジャー、アプリケーション等を通してアンケート調査に参加するようにし、アンケート調査に参加したユーザに対して補償を支給する等の方法が利用されている。
【０００４】
しかし、このような場合、ユーザがアンケート調査を進行するために、電子メールまたはショートメッセージサービスを確認するか、またはメッセンジャーあるいはアプリケーション等を実行しなければならない面倒さがある。
また、販売会社または広告会社がアンケート調査に参加するユーザを募集するために、ユーザの電子メール情報、連絡先情報、メッセンジャーアカウント情報またはアプリケーションアカウント情報を収集しても、募集されたユーザがアンケート調査に参加する意向のあるユーザであるかを確認することが難しいという問題点がある。
【発明の概要】
【発明が解決しようとする課題】
【０００５】
本発明は、上記従来の方法における問題点に鑑みてなされたものであって、本発明の目的は、対象ユーザを分類するための管理方法および装置を提供することにある。
具体的に、本発明が解決しようとする課題は、ユーザが特定コンテンツを提供するに適した対象ユーザであるかを判断するために、ユーザに質問情報を提供し、質問情報に対する応答情報に基づいてユーザを対象ユーザに分類できる方法および装置を提供することである。
本発明の課題は、上で言及した課題に制限されず、言及されていないまた他の課題は、下記の記載から当業者に明確に理解され得るだろう。
【課題を解決するための手段】
【０００６】
前述したような課題を解決するために、本発明の一実施例に係る発明は、対象ユーザを分類するための方法が提供される。対象ユーザを分類するための方法は、少なくとも一つのユーザの端末からユーザ情報を受信するステップ、前記受信されたユーザ情報を利用して前記少なくとも一つのユーザを分類するための第１質問情報を決定するステップ、前記決定された第１質問情報を前記少なくとも一つのユーザの端末に伝達するステップ、前記少なくとも一つのユーザの端末から第１質問情報に対する応答として第１応答情報を受信するステップ、前記受信された第１応答情報に基づいて前記少なくとも一つのユーザを既設定された第１応答カテゴリによって分類するステップ、および前記分類された少なくとも一つのユーザに対する情報を格納するステップを含む。
【０００７】
前述したような課題を解決するために、本発明の一実施例に係る発明は、対象ユーザを分類するための装置が提供される。対象ユーザを分類するための装置は、通信インターフェース、メモリ、および前記通信インターフェースおよび前記メモリと連結されるプロセッサを含み、前記プロセッサは、少なくとも一つのユーザの端末からユーザ情報を受信し、前記受信されたユーザ情報を利用して前記少なくとも一つのユーザを分類するための第１質問情報を決定し、前記決定された第１質問情報を前記少なくとも一つのユーザの端末に伝達し、前記少なくとも一つのユーザの端末から第１質問情報に対する応答として第１応答情報を受信し、前記受信された第１応答情報に基づいて前記少なくとも一つのユーザを既設定された第１応答カテゴリによって分類し、前記分類された少なくとも一つのユーザに対する情報を格納する。
その他の実施例の具体的な事項は、詳細な説明および図面に含まれている。
【発明の効果】
【０００８】
本発明は、ユーザに対象ユーザ分類のための質問情報を提供し、質問情報に対する応答情報に基づいてユーザを対象ユーザに分類することで、該当ユーザが特定コンテンツを提供するに適した対象ユーザであるかを判断するために使われる時間およびコスト等を減らすことができる。
また、本発明は、ユーザ端末のロック画面の一部の領域に質問情報を表示することで、ユーザが質問を容易に確認し、確認された質問に関してより便利に応答することができる。
本発明に係る効果は、以上において例示された内容により制限されず、さらに様々な効果が本明細書内に含まれている。
【図面の簡単な説明】
【０００９】
【図１】本発明の一実施例に係る対象ユーザ分類システムを説明するための概略図である。
【図２】本発明の一実施例に係る管理装置を説明するための概略図である。
【図３】本発明の一実施例に係るユーザ端末を説明するための概略図である。
【図４】本発明の一実施例に係る管理装置で対象ユーザを分類するための方法を説明するための概略的なフローチャートである。
【図５】本発明の一実施例に係るユーザ端末での対象ユーザ分類のための質問情報を提供するための方法を説明するための例示図である。
【図６】本発明の一実施例に係るユーザ端末での対象ユーザ分類のための質問情報を提供するための方法を説明するための例示図である。
【図７】本発明の一実施例に係るユーザ端末での対象ユーザ分類のための質問情報を提供するための方法を説明するための例示図である。
【図８】本発明の一実施例に係るユーザ端末での対象ユーザ分類のための質問情報を提供するための方法を説明するための例示図である。
【図９】本発明の一実施例に係るユーザ端末での対象ユーザ分類のための質問情報を提供するための方法を説明するための例示図である。
【図１０】本発明の一実施例に係るユーザ端末での対象ユーザ分類のための質問情報を提供するための方法を説明するための例示図である。
【図１１】本発明の一実施例に係るユーザ端末での対象ユーザ分類のための質問情報を提供するための方法を説明するための例示図である。
【図１２】本発明の一実施例に係るユーザ端末での対象ユーザ分類のための質問情報を提供するための方法を説明するための例示図である。
【図１３】本発明の一実施例に係るユーザ端末での対象ユーザ分類のための質問情報を提供するための方法を説明するための例示図である。
【図１４】本発明の一実施例に係るユーザ端末での対象ユーザ分類のための質問情報を提供するための方法を説明するための例示図である。
【図１５】本発明の一実施例に係るユーザ端末での対象ユーザ分類のための質問情報を提供するための方法を説明するための例示図である。
【図１６】本発明の一実施例に係るユーザ端末での対象ユーザ分類のための質問情報を提供するための方法を説明するための例示図である。
【図１７】本発明の一実施例に係るユーザ端末での対象ユーザ分類のための質問情報を提供するための方法を説明するための例示図である。
【図１８】本発明の一実施例に係るユーザ端末での対象ユーザ分類のための質問情報を提供するための方法を説明するための例示図である。
【発明を実施するための形態】
【００１０】
本発明の利点および特徴、そして、それらを達成する方法は、添付の図面と共に詳細に後述されている実施例を参照すれば、明確になるだろう。しかし、本発明は、以下において開示される実施例に限定されるものではなく、互いに異なる様々な形態で具現され、単に、本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。
【００１１】
第１、第２等が様々な構成要素を述べるために使用されるが、これらの構成要素は、これらの用語により制限されないことはもちろんである。これらの用語は、単に一つの構成要素を他の構成要素と区別するために使用するものである。従って、以下において言及される第１構成要素は、本発明の技術的思想内で第２構成要素であってもよいことはもちろんである。
【００１２】
明細書全体にわたって、同じ参照符号は、同じ構成要素を指す。
本発明の様々な実施例のそれぞれの特徴は、部分的または全体的に互いに結合または組み合わせ可能であり、当業者が十分に理解できるように技術的に多様な連動および駆動が可能であり、各実施例が互いに対して独立して実施可能であっても、関連関係で共に実施可能であってもよい。
【００１３】
以下、添付の図面を参照して、本発明の様々な実施例を詳細に説明する。
図１は、本発明の一実施例に係る対象ユーザ分類システムを説明するための概略図である。
図１を参照すると、対象ユーザ分類システムは、対象ユーザを分類するための管理装置１００およびユーザ端末２００を含む。ここで、対象ユーザ分類システムは、特定主題に関連した様々なコンテンツを提供するために、ユーザを特定質問に対する応答によって分類するためのシステムである。
【００１４】
管理装置１００は、複数のユーザ端末それぞれからユーザ情報を受信し、受信されたユーザ情報に基づいてユーザ分類のための第１質問情報を決定できる。具体的に、管理装置１００は、特定コンテンツを提供するための少なくとも一つの対象ユーザを分類するために、予め設定された質問情報のうち受信されたユーザ情報に基づいて第１質問情報を決定できる。前記ユーザ情報は、複数のユーザ端末それぞれのユーザに対する識別情報（例：ＩＤ）またはアカウント情報を含むことができる。例えば、アカウント情報は、各ユーザの名前、ニックネーム、性別、年齢、住所、電話番号、電子メール等のようなプロフィール情報を含むことができる。前記管理装置１００は、各ユーザの識別情報に対応して以前に各ユーザのユーザ端末に伝達した質問を示す質問内訳情報および以前に伝達した質問に対して各ユーザの応答情報を累積した応答内訳情報を含むユーザ内訳情報を格納することができる。
【００１５】
例えば、第１ユーザの識別情報に対応して特定主題に関連した質問に対する応答情報が受信された内訳があれば、管理装置１００は、該当主題を除く質問のいずれか一つを選択し、選択された質問に対する質問情報を第１ユーザのユーザ端末に伝達できる。特定主題に対する質問情報を第１ユーザのユーザ端末に伝達したが、第１ユーザの応答情報が受信されていない場合、管理装置１００は、該当質問情報を選択し、選択された質問情報を第１ユーザのユーザ端末に再び伝達することもできる。前記質問情報は、選択型質問（客観式）または記述型質問（論述式）を含むことができる。選択型質問の場合、質問と共に質問に関してユーザが選択できる二以上の予め提示された応答が含まれ得る。例えば、選択型質問には、「自動車を保有していますか？」のような質問と、質問に対してユーザにより選択できる「はい、いいえ」のように予め提示された応答が含まれ得る。様々な実施例において、二以上の予め提示された応答は、テキストだけでなく、イメージまたは動画等であってよい。様々な実施例において、質問情報は、ユーザの応答を受信できる予め設定された制限時間に対する時間情報をさらに含むことができる。様々な実施例において、質問情報は、質問情報に対する応答時に支給される補償アイテムに対する情報をさらに含むこともできる。
【００１６】
前記決定された第１質問情報は、第１応答カテゴリによって少なくとも一つのユーザを分類するための第１質問を含むことができる。ここで、第１応答カテゴリは、第１質問情報に関して少なくとも一つのユーザが応答できる第１応答の種類を含むことができる。前記第１応答の種類は、第１肯定応答または第１否定応答であってよい。例えば、第１質問は、「自動車を保有していますか？」のように、少なくとも一つのユーザが第１肯定応答または第１否定応答で応答できる質問であってよい。このような場合、管理装置１００は、自動車を保有したユーザのユーザ端末から第１肯定応答を、自動車を保有していないユーザのユーザ端末から第１否定応答を受信できる。
【００１７】
第１ユーザの第１ユーザ端末から第１肯定応答を含む第１応答情報が受信されれば、管理装置１００は、第１ユーザを自動車に関連した第１コンテンツを提供できる第１対象ユーザに分類できる。第２ユーザの第２ユーザ端末から第１否定応答を含む第１応答情報が受信されれば、管理装置１００は、第２ユーザを自動車に関連した第２コンテンツを提供できる第２対象ユーザに分類できる。前記コンテンツは、アンケート調査または広告等であってよい。様々な実施例において、管理装置１００は、第１ユーザ端末から第１応答情報が受信されれば、第１ユーザのユーザアカウントに対応して補償アイテムを支給し、支給された補償アイテムに対する情報を第１ユーザ端末に伝達できる。
【００１８】
コンテンツ提供装置から第１対象ユーザに提供するための第１コンテンツが受信されれば、管理装置１００は、受信された第１コンテンツを第１対象ユーザのユーザ端末に伝達できる。コンテンツ提供装置から第２対象ユーザに提供するための第２コンテンツが受信されれば、管理装置１００は、受信された第２コンテンツを第２対象ユーザのユーザ端末に伝達できる。例えば、管理装置１００は、アンケート調査データまたは広告データを第１対象ユーザまたは第２対象ユーザのユーザ端末に伝達できる。
【００１９】
様々な実施例において、管理装置１００は、第１応答情報が第１否定応答を含めば、予め設定された質問情報のうち第１否定応答をした少なくとも一つのユーザを分類するための第２質問情報を決定し、決定された第２質問情報を少なくとも一つのユーザのユーザ端末に伝達できる。前記第２質問情報は、第２応答カテゴリによって第１否定応答をした少なくとも一つのユーザを分類するための第２質問を含むことができる。ここで、第２応答カテゴリは、第２質問情報に関して第１否定応答をした少なくとも一つのユーザが応答できる第２応答の種類を含むことができる。前記第２応答の種類は、第２肯定応答または第２否定応答であってよい。
【００２０】
例えば、前記第２質問は、「自動車を保有していないならば、自動車を保有する予定ですか？」のように、第１質問に対して第１否定応答をした少なくとも一つのユーザが第２肯定応答または第２否定応答で応答できる質問であってよい。前記管理装置１００は、自動車を保有していないが、自動車を保有する予定である第３ユーザのユーザ端末から第２肯定応答を、自動車を保有しておらず、自動車を保有する予定のない第４ユーザのユーザ端末から第２否定応答を受信できる。第３ユーザのユーザ端末から第２肯定応答を含む第２応答情報が受信されれば、管理装置１００は、第３ユーザを自動車に関連した第３コンテンツを提供するための第３対象ユーザに分類できる。第４ユーザのユーザ端末から第２否定応答を含む第２応答情報が受信されれば、管理装置１００は、第４ユーザを自動車に関連した第４コンテンツを提供するための第４対象ユーザに分類できる。
【００２１】
様々な実施例において、管理装置１００は、第１応答カテゴリによって分類された第１対象ユーザまたは第２対象ユーザそれぞれの数を計算し、計算された数が既設定された閾値と一致するかを判断できる。前記閾値は、コンテンツ提供者によって設定された各対象ユーザの数を含むことができる。例えば、コンテンツ提供者によって自動車を保有した第１対象ユーザの数に対する第１閾値が５００名に設定され、自動車を保有していない第２対象ユーザの数に対する第２閾値が２００名に設定された場合、管理装置１００は、計算された第１対象ユーザの数が５００名であるか、または計算された第２対象ユーザの数が２００名であるかを判断できる。第１対象ユーザの数が閾値と一致すれば、管理装置１００は、コンテンツを要請するためのコンテンツ要請メッセージをコンテンツ提供者のコンテンツ提供装置に伝達できる。
【００２２】
コンテンツ提供装置から自動車を保有した第１対象ユーザに提供するための第１コンテンツが受信されれば、管理装置１００は、受信された第１コンテンツを第１対象ユーザのユーザ端末に伝達できる。第１対象ユーザのユーザ端末から第１コンテンツに対するコンテンツ応答情報が受信されれば、管理装置１００は、受信されたコンテンツ応答情報をコンテンツ提供装置に伝達できる。例えば、第１コンテンツがアンケート調査である場合、第１対象ユーザの数が第１閾値と一致すれば、管理装置１００は、アンケート調査要請メッセージをアンケート依頼者のアンケート依頼装置に伝達し、アンケート依頼装置から自動車を保有した対象者に関連した第１アンケート情報を受信できる。
【００２３】
前記第１アンケート情報は、自動車に関連したアンケート調査質問項目および各質問項目に関して提示された選択型応答または記述型応答入力のための入力領域等を含むことができる。前記管理装置１００は、受信された第１アンケート情報を第１対象ユーザのユーザ端末に伝達し、第１対象ユーザのユーザ端末から第１アンケート情報に対するアンケート応答情報を受信できる。前記アンケート応答情報は、第１アンケート調査に関する各アンケート質問項目に対する選択された応答または入力された応答を含むことができる。前記管理装置１００は、受信された第１アンケート情報に対するアンケート応答情報をアンケート依頼装置に伝達できる。様々な実施例において、第１コンテンツが広告である場合、第１対象ユーザの数が第１閾値と一致すれば、管理装置１００は、広告要請メッセージを広告提供者の広告提供装置に伝達し、広告提供装置から自動車を保有した対象者に関連した第１広告データを受信できる。
【００２４】
前記管理装置１００は、受信された第１広告データを第１対象ユーザのユーザ端末に伝達し、第１対象ユーザのユーザ端末から第１広告データに対する広告応答情報を受信できる。前記広告応答情報は、第１対象ユーザが第１広告データを視聴するか確認することを示す情報を含むか、または第１対象ユーザの第１広告データに対するフィードバック情報を含むことができる。前記フィードバック情報は、第１広告データに対する第１対象ユーザの鑑賞等を示すレビュー情報を含むことができる。前記管理装置１００は、受信された広告応答情報を広告提供装置に伝達できる。
【００２５】
次に、第２対象ユーザの数が閾値と一致すれば、管理装置１００は、コンテンツ提供者に第２対象ユーザに提供するためのコンテンツに対するコンテンツ要請メッセージを伝達できる。前記管理装置１００は、コンテンツ提供装置から自動車を保有していない第２対象ユーザに提供するための第２コンテンツが受信されれば、第２コンテンツを第２対象ユーザのユーザ端末に伝達できる。第２対象ユーザのユーザ端末から第２コンテンツに対するコンテンツ応答情報が受信されれば、管理装置１００は、受信されたコンテンツ応答情報をコンテンツ提供装置に伝達できる。
【００２６】
例えば、第２コンテンツがアンケート調査である場合、第２対象ユーザの数が第２閾値と一致すれば、管理装置１００は、アンケート調査要請メッセージをアンケート依頼装置に伝達し、アンケート依頼装置から自動車を保有していない対象者に関連した第２アンケート情報を受信できる。前記管理装置１００は、受信された第２アンケート情報を第２対象ユーザのチャネル装置に伝達し、第２対象ユーザのユーザ端末から第２アンケート情報に対するアンケート応答情報が受信されれば、受信された第２アンケート情報に対するアンケート応答情報をアンケート依頼装置に伝達できる。様々な実施例において、第２コンテンツが広告である場合、第２対象ユーザの数が第２閾値と一致すれば、管理装置１００は、広告要請メッセージを広告提供装置に伝達し、広告提供装置から自動車を保有していない対象者に関連した第２広告データを受信できる。前記管理装置１００は、受信された第２広告データを第２対象ユーザのユーザ端末に伝達し、第２対象ユーザのユーザ端末から第２広告データに対する広告応答情報を受信できる。前記管理装置１００は、受信された広告応答情報を広告提供装置に伝達できる。
【００２７】
様々な実施例において、管理装置１００は、第２応答カテゴリによって分類された第３対象ユーザおよび第４対象ユーザそれぞれの数を計算し、計算された数がそれぞれ既設定された閾値と一致するかを判断できる。例えば、自動車を保有していないが、自動車を保有する予定である第３対象ユーザの数に対する第３閾値が３００名に設定され、自動車を保有しておらず、自動車を保有する予定のない第４対象ユーザの数に対する第４閾値が２００名に設定された場合、管理装置１００は、計算された第３対象ユーザの数が３００名であるか、または計算された第４対象ユーザの数が２００名であるかを判断できる。
【００２８】
第３対象ユーザの数が第３閾値と一致すれば、管理装置１００は、第３対象ユーザに提供するためのコンテンツを要請するコンテンツ要請メッセージをコンテンツ提供装置に伝達できる。コンテンツ提供装置から自動車を保有していないが、自動車を保有する予定である対象者に提供するための第３コンテンツが受信されれば、管理装置１００は、受信された第３コンテンツを第３対象ユーザのユーザ端末に伝達できる。第３対象ユーザのユーザ端末から第３コンテンツに対するコンテンツ応答情報が受信されれば、管理装置１００は、第３コンテンツに対するコンテンツ応答情報をコンテンツ提供装置に伝達できる。
【００２９】
第４対象ユーザの数が第４閾値と一致すれば、管理装置１００は、第４対象ユーザに提供するためのコンテンツを要請するコンテンツ要請メッセージをコンテンツ提供装置に伝達できる。コンテンツ提供装置から自動車を保有しておらず、自動車を保有する予定のない対象者に提供するための第４コンテンツが受信されれば、管理装置１００は、受信された第４コンテンツを第４対象ユーザのユーザ端末に伝達できる。第４対象ユーザのユーザ端末から第４コンテンツに対するコンテンツ応答情報が受信されれば、管理装置１００は、受信されたコンテンツ応答情報をコンテンツ提供装置に伝達できる。
【００３０】
管理装置１００は、対象ユーザに提供されたコンテンツに対応してコンテンツ応答情報が受信されれば、受信されたコンテンツ応答情報に基づいて補償アイテムを支給し、支給された補償アイテムに対する情報を各対象ユーザのユーザ端末に伝達できる。前記補償アイテムは、マイレッジまたはポイント等であってよい。例えば、対象ユーザがアンケート調査を完了したか広告を視聴した場合、これを示す情報が対象ユーザのユーザ端末から受信されれば、管理装置１００は、対象ユーザのアカウント情報に対応してアンケート調査完了または広告視聴等によるポイントまたはマイレッジ等のような補償アイテムを支給し、支給された補償アイテムに対する情報を対象ユーザのユーザ端末に伝達できる。
【００３１】
様々な実施例において、第１質問情報は、少なくとも一つのユーザの好み（または性向、価値観、好感度等）を確認するための第３質問を含むことができ、これによる第１応答カテゴリは、第３質問に対して少なくとも一つのユーザの好みによって答弁可能な第３応答の種類を含むことができる。例えば、第３質問は、「チャジャンミョンが好きですか？それともちゃんぽんが好きですか？」のように各ユーザの好みによって決定され得る少なくとも一つのキーワードのいずれか一つを選択するための質問を含むことができ、第３応答の種類は、各ユーザの好みを示すキーワードを含むことができる。
【００３２】
第３質問に対する応答として第１ユーザ端末から第１キーワード（例：チャジャンミョン）を含む応答情報が受信されれば、管理装置１００は、第１ユーザ端末の第１ユーザを第１キーワードに関連したコンテンツの提供を受けることができる潜在的な第５対象ユーザに分類し、第５対象ユーザに分類された第１ユーザに対するユーザ情報と第１キーワードに対する情報を対応させて格納できる。以後、管理装置１００は、コンテンツ提供装置から第１キーワードに関連したコンテンツが受信されれば、受信された第１キーワードに関連したコンテンツを第１ユーザ端末に伝達できる。
【００３３】
様々な実施例において、管理装置１００は、各ユーザの応答内訳情報に基づいて各ユーザの応答情報に対する信頼度を判断できる。具体的に、管理装置１００は、特定主題に対して各ユーザが以前に応答した応答情報を累積した応答内訳情報を格納し、格納された応答内訳情報とユーザの応答情報を比較できる。例えば、「自動車を保有していますか？」に対する応答として継続的に「いいえ」を応答した内訳を有する第１ユーザに対して、「自動車を持っていますか？」という質問情報を伝達した以後に第１ユーザの第１ユーザ端末から「はい」という応答情報が受信された場合、管理装置１００は、以前に継続的に「いいえ」と応答した内訳によって「自動車を持っていますか？」という質問に対する「はい」という第１応答が誤った応答である可能性が存在すると判断できる。
【００３４】
このような場合、管理装置１００は、同じ質問情報または「自動車を保有していますか？」のように類似した質問情報を第１ユーザ端末に伝達し、第１ユーザ端末からこれに対する第２応答が含まれた応答情報が受信されれば、受信された応答情報に基づいて「自動車を保有していますか？」に対する第１応答が信頼度の高い応答であるか、それとも低い応答であるかを判断できる。同じ質問情報または類似した質問情報に対する第２応答が「いいえ」である場合、管理装置１００は、第１応答を信頼度の低い応答と判断できる。同じ質問情報または類似した質問情報に対する第２応答が「はい」である場合、管理装置１００は、第１応答を信頼度の高い応答と判断できる。様々な実施例において、管理装置１００は、信頼度の高い応答をユーザの応答情報として格納できる。
【００３５】
様々な実施例において、管理装置１００は、複数のユーザそれぞれに対する応答内訳情報を性別、年齢等による集団に区分して統計化した統計データを格納できる。前記管理装置１００は、統計データに基づいて各ユーザの応答情報に対する信頼度を判断できる。例えば、「自動車を保有していますか？」という質問に対して、２０代である第２ユーザの第２ユーザ端末から「いいえ」という第１応答を含む応答情報が受信され、統計データに基づいて２０代集団が「はい」と応答した場合、管理装置１００は、第２ユーザの応答情報が誤った応答である可能性があると判断できる。
【００３６】
このような場合、管理装置１００は、同じ質問情報または「自動車を持っていますか？」のように類似した質問情報を第２ユーザ端末に伝達し、第２ユーザ端末からこれに対する第２応答を含む応答情報が受信されれば、管理装置１００は、受信された応答情報に基づいて第１応答が信頼度の高い応答であるか、それとも低い応答であるかを判断できる。同じ質問情報または類似した質問情報に対する第２ユーザの第２応答が「はい」である場合、管理装置１００は、第１応答を信頼度の低い応答と判断できる。同じ質問情報または類似した質問情報に対する第２ユーザの第２応答が「いいえ」である場合、管理装置１００は、第１応答を信頼度の高い応答と判断できる。
【００３７】
様々な実施例において、管理装置１００は、質問情報と共に追加質問情報をユーザ端末２００に伝達し、ユーザ端末２００から受信された追加質問情報に対する追加応答情報を利用して質問情報に対する応答情報の信頼度を判断できる。前記追加質問情報は、質問情報（例：自動車を保有していますか？）と同一または類似した第４質問（例：自動車を購入しましたか？）を含むことができる。ユーザ端末２００から質問情報に対する応答情報および追加質問情報に対する追加応答情報が受信されれば、管理装置１００は、応答情報と追加応答情報を比較して互いに同一または類似した質問に対する応答が一致すれば、応答情報の信頼度が高いものと判断できる。互いに同一または類似した質問に対する応答が一致しなければ、管理装置１００は、応答情報の信頼度が低いものと判断できる。
【００３８】
様々な実施例において、管理装置１００は、累積された応答情報を通してユーザが必要とするようなコンテンツをユーザ端末２００に紹介し、提案できる。
様々な実施例において、管理装置１００は、ユーザ端末２００から質問情報に対する応答情報または追加質問情報に対する追加応答情報が受信されれば、受信された応答情報または追加応答情報による補償アイテムを支給し、支給された補償アイテムに対する情報をユーザ端末２００に伝達できる。
【００３９】
様々な実施例において、管理装置１００は、ユーザ端末２００から第１ユーザによって作成された質問をアップロードするための要請と共に作成された質問を含むアップロード情報を受信し、受信されたアップロード情報を質問情報として格納できる。管理装置１００は、第１ユーザによって作成された質問を含む質問情報を少なくとも一つのユーザ端末に伝達し、少なくとも一つのユーザ端末から応答情報が受信されれば、応答情報が受信されたユーザ端末の数によって第１ユーザのアカウントに対応して補償アイテムを支給できる。
【００４０】
例えば、ユーザ端末２００から「チャジャンミョンが好きですか？ちゃんぽんが好きですか？」のように作成された質問が含まれたアップロード情報が受信されれば、管理装置１００は、該当質問を含む質問情報を少なくとも一つのユーザのユーザ端末に伝達できる。少なくとも一つのユーザのユーザ端末から応答情報が受信されれば、管理装置１００は、応答情報が受信された少なくとも一つのユーザ端末の数を確認し、確認された数が既設定された閾値以上であるかを判断できる。確認された数が閾値以上であれば、管理装置１００は、第１ユーザのアカウントに対応して補償アイテムを支給し、支給された補償アイテムに対する情報をユーザ端末２００に伝達できる。
【００４１】
様々な実施例において、管理装置１００は、ユーザの応答内訳情報を利用してユーザが必要とするコンテンツを探索して決定し、決定されたコンテンツをユーザ端末２００に伝達できる。例えば、自動車に関連した様々な質問に関してユーザの累積された応答情報が肯定応答である場合、管理装置１００は、自動車に関連したアンケート調査または広告等のコンテンツをユーザが必要とするコンテンツに決定できる。前記管理装置１００は、このように決定されたコンテンツをコンテンツ提供装置に要請し、要請されたコンテンツがコンテンツ提供装置から受信されれば、前記コンテンツをユーザ端末２００に伝達できる。
【００４２】
次に、ユーザ端末２００は、ユーザの要請によってユーザ情報を管理装置１００に伝達し、管理装置１００からコンテンツ提供のためにユーザを分類するための質問情報を受信して表示し、表示された質問情報に対する応答を伝達できるようにユーザインターフェースを提供する装置であって、コンテンツ提供のためのアプリケーション、プログラムまたはウィジェット等が設けられたスマートフォン、タブレットＰＣ、ウェアラブル装置等であってよい。該当アプリケーション、プログラムまたはウィジェット等は、管理装置１００とユーザ端末２００を互いに接続させることができる。
【００４３】
具体的に、ユーザ端末２００は、コンテンツ提供のためのアプリケーション、プログラムまたはウィジェット等をダウンロードおよび設置できる。ユーザ端末２００は、ユーザの要請によってアプリケーションまたはプログラムを実行するか、またはウィジェットを表示できる。様々な実施例において、ユーザ端末２００は、ユーザの要請によってアプリケーションを実行した後、ログインおよび加入のための画面を表示できる。ユーザからログインおよび加入が完了すれば、ユーザ端末２００は、ユーザに対するユーザ情報を管理装置１００に伝達できる。例えば、ユーザ情報には、加入のためのアカウント生成時、ユーザによって入力されるアカウント情報またはプロフィール情報が含まれ得る。
【００４４】
ユーザ端末２００は、管理装置１００から第１質問情報を受信し、受信された第１質問情報を示すユーザインターフェースをユーザ端末２００のロック画面、背景画面（またはホーム画面）またはウィジェット表示画面の一部の領域に表示できる。様々な実施例において、ユーザインターフェースは、アプリケーション画面またはウィジェット等であってよい。前記第１質問情報には、第１対象ユーザを分類するための第１質問が含まれ得る。例えば、第１質問は、「自動車を保有していますか？」のようにユーザが第１肯定応答または第１否定応答ができる質問であってよい。このような場合、ユーザ端末２００は、受信された第１質問情報を示すユーザインターフェースをロック画面または背景画面の一部の領域に表示するか、またはウィジェット表示画面の一部の領域に表示できる。
【００４５】
前記ユーザインターフェースは、第１質問の内容を表示する質問表示領域および第１質問に対する応答を選択または入力できる応答領域を含むことができる。例えば、応答領域は、選択型応答のために選択可能な二以上の予め提示された応答を含むか、または記述型応答のための入力領域を含むことができる。様々な実施例において、ユーザインターフェースは、第１質問に関してユーザの応答を選択または入力するための制限時間を示す時間領域をさらに含むことができる。例えば、ユーザ端末２００のディスプレイがオフ（ｏｆｆ）された状態である場合、管理装置１００から第１質問情報が受信されれば、ユーザ端末２００は、ディスプレイをオン（ｏｎ）状態に変更し、ロック画面の一部の領域に第１質問情報を表示できる。
【００４６】
様々な実施例において、ユーザ端末２００は、管理装置１００から第１質問情報が受信されれば、第１質問情報が受信されることを知らせるためのお知らせウィンドウをロック画面または背景画面（またはホーム画面）の一部の領域に表示できる。前記お知らせウィンドウは、「アンケート調査のための質問が受信されました。」のようなお知らせ情報を含むことができる。様々な実施例において、お知らせウィンドウは、「アンケート調査のための質問が受信されました。確認しますか？」のようなテキストと共に、これを確認または取消すためのボタンを含むことができる。
【００４７】
ユーザから第１質問情報を確認するための確認ボタンの選択が入力されれば、ユーザ端末２００は、ロック画面、背景画面、アプリケーション実行画面またはウィジェット表示画面の一部の領域に第１質問情報を表示できる。例えば、ユーザから上方向から下方向にスワイプ入力が受信されれば、ユーザ端末２００は、少なくとも一つのウィジェットを含むウィジェット表示画面を表示できる。様々な実施例において、第１質問情報を確認するためのボタンを選択する入力が受信されれば、ユーザ端末２００は、画面、背景画面、アプリケーション実行画面またはウィジェット表示画面の一部の領域に第１質問情報を示すポップアップ・ウィンドウを重畳して表示できる。様々な実施例において、制限時間内にユーザから第１質問情報に対する応答が選択または入力されない場合、ユーザ端末２００は、管理装置１００に新たな質問情報を要請して受信し、受信された新たな質問情報を表示できる。
【００４８】
ユーザから応答領域を通して第１質問情報に対する応答が選択または入力されれば、ユーザ端末２００は、選択または入力された応答を含む第１応答情報を管理装置１００に伝達できる。ここで、ユーザ端末２００は、第１応答情報と共にユーザの識別情報（例：アカウント情報）を共に伝達できる。例えば、第１応答情報には、第１肯定応答または第１否定応答が含まれ得る。第１肯定応答を含む第１応答情報を管理装置１００に伝達した場合、ユーザ端末２００は、管理装置１００から第１肯定応答をした第１対象ユーザに提供するための第１コンテンツを受信できる。第１否定応答を含む第１応答情報を管理装置１００に伝達した場合、ユーザ端末２００は、管理装置１００から第１否定応答をした第２対象ユーザに提供するための第２コンテンツを受信できる。前記ユーザ端末２００は、受信された第１コンテンツまたは第２コンテンツをディスプレイに表示できる。例えば、コンテンツは、アンケート調査データまたは広告データであってよい。
【００４９】
管理装置１００からコンテンツが受信されれば、ユーザ端末２００は、コンテンツが受信されることを知らせるためのお知らせ情報をロック画面、背景画面、アプリケーション実行画面またはウィジェット表示画面等の一部の領域に表示できる。具体的に、ユーザ端末２００のディスプレイがオフ状態である場合、ユーザ端末２００は、ディスプレイをオン状態に転換し、ディスプレイを通してロック画面の一部の領域にコンテンツが受信されることを知らせるためのお知らせ情報を表示できる。例えば、コンテンツがアンケート調査データである場合、お知らせ情報は、「自動車に対するアンケート調査を始めますか？」のようなテキストおよびアンケート調査に参加または取消すためのボタンを含むことができる。コンテンツが広告データである場合、お知らせ情報は、「自動車に対する広告を視聴しますか？」のようなテキストおよび広告視聴を承認または取消すためのボタンを含むことができる。
【００５０】
ユーザ端末２００は、受信されたコンテンツを提供するためのユーザインターフェースを表示し、コンテンツに対するコンテンツ応答情報を管理装置１００に伝達できる。例えば、ユーザからアンケート調査に参加するためのボタンを選択する入力が受信されれば、ユーザ端末２００は、管理装置１００にユーザがアンケート調査に参加することを示すメッセージを伝達し、管理装置１００からアンケート情報を受信して表示できる。このような場合、ユーザ端末２００は、アンケート調査のためのアプリケーションを実行し、アプリケーション実行画面にアンケート情報を表示できる。前記アンケート情報は、少なくとも一つのアンケート質問項目および該当質問項目に対する応答を選択または入力できる応答領域を含むことができる。アンケート調査が完了すれば、ユーザ端末２００は、アンケート応答情報を含むコンテンツ応答情報を管理装置１００に伝達できる。
【００５１】
様々な実施例において、ユーザから広告視聴を承認するためのボタンを選択する入力が受信されれば、ユーザ端末２００は、管理装置１００にユーザが広告視聴を承認することを示すメッセージを伝達し、管理装置１００から広告データを受信して表示できる。このような場合、ユーザ端末２００は、広告データを表示するためのユーザインターフェースを表示できる。前記ユーザインターフェースは、広告データを表示するためのアプリケーション実行画面または広告データを表示するためのポップアップ・ウィンドウであってよい。広告視聴が完了すれば、ユーザ端末２００は、広告視聴が完了することを示すコンテンツ応答情報を管理装置１００に伝達できる。具体的に、ユーザ端末２００は、広告データの再生時間を確認し、確認された再生時間が完了すれば、広告視聴が完了することを示す応答情報を管理装置１００に伝達できる。
【００５２】
ユーザ端末２００は、管理装置１００からコンテンツ応答情報によって支給された補償アイテムに対する情報が受信されれば、受信された補償アイテムに対する情報を表示できる。例えば、管理装置１００からアンケート調査参加による補償アイテムに対する情報が受信されれば、ユーザ端末２００は、受信された補償アイテムに対する情報を表示できる。様々な実施例において、管理装置１００から広告視聴に対する補償アイテムに対する情報が受信されれば、ユーザ端末２００は、受信された補償アイテムに対する情報を表示できる。
【００５３】
様々な実施例において、ユーザ端末２００は、ユーザから第１否定応答が選択または入力されれば、第１否定応答を含む第１応答情報を管理装置１００に伝達し、管理装置１００から第１否定応答をしたユーザを分類するための第２質問情報を受信できる。前記第２質問情報には、第１否定応答をしたユーザを第２対象ユーザに分類するための第２質問が含まれ得る。例えば、第２質問は、「自動車を保有していないならば、自動車を保有する予定ですか？」のようにユーザが第２肯定応答または第２否定応答で応答できる質問であってよい。第２質問に関してユーザから第２肯定応答が受信されれば、ユーザ端末２００は、第２肯定応答を含む第２応答情報を管理装置１００に伝達し、ユーザから第２否定応答が受信されれば、第２否定応答を含む第２応答情報を管理装置１００に伝達できる。
【００５４】
第２肯定応答を含む第２応答情報を管理装置１００に伝達した場合、ユーザ端末２００は、管理装置１００から第２肯定応答をした第３対象ユーザに提供するための第３コンテンツを受信できる。第２否定応答を含む第２応答情報を管理装置１００に伝達した場合、ユーザ端末２００は、管理装置１００から第２否定応答をした第４対象ユーザに提供するための第４コンテンツを受信できる。前記ユーザ端末２００は、受信された第３コンテンツまたは第４コンテンツをディスプレイに表示できる。
【００５５】
様々な実施例において、ユーザ端末２００は、管理装置１００から質問情報と共に質問情報に対する信頼度を判断するための追加質問情報を受信し、受信された質問情報および追加質問情報を表示できる。前記追加質問情報は、質問情報と同一または類似した第４質問を含むことができる。例えば、質問情報は、「自動車を保有していますか？」のような質問であってよく、追加質問情報は、「自動車を購入しましたか」のような質問であってよい。ユーザから追加質問情報に対する追加応答が受信されれば、ユーザ端末２００は、追加応答を含む追加応答情報を管理装置１００に伝達できる。
【００５６】
様々な実施例において、ユーザ端末２００は、管理装置１００から質問情報に対する応答情報または追加質問情報に対する追加応答情報によって支給された補償アイテムに対する情報を受信し、受信された補償アイテムに対する情報を格納または表示できる。
様々な実施例において、ユーザ端末２００は、ユーザによって作成された質問をアップロードするためのユーザインターフェースを提供できる。前記ユーザインターフェースは、質問を入力するための質問入力領域または該当質問が選択型質問である場合に選択可能な二以上の応答を入力するための応答入力領域を含み、作成された質問に対するアップロードを要請するためのアップロードアイコンまたはアップロードボタンを含むことができる。ユーザによって質問入力領域を通して質問が入力され、アップロードアイコンまたはアップロードボタンに対する選択が入力されれば、ユーザ端末２００は、ユーザによって作成された質問をアップロードするための要請と共に作成された質問を含むアップロード情報を管理装置１００に伝達できる。前記ユーザ端末２００は、管理装置１００から質問作成によって支給された補償アイテムに対する情報を受信できる。
【００５７】
図２は、本発明の一実施例に係る管理装置を説明するための概略図である。図１および図２を参照すると、管理装置１００は、通信インターフェース１０２、メモリ１０４およびプロセッサ１０６を含む。
通信インターフェース１０２は、管理装置１００が外部装置と通信可能であるように連結する。例えば、通信インターフェース１０２は、有／無線ネットワークを通してユーザ端末２００と連結し、ユーザ端末２００に質問情報を伝達するか、またはユーザ端末２００から質問情報に対する応答情報を受信できる。また、通信インターフェース１０２は、ユーザ端末２００に補償情報を伝達できる。
【００５８】
メモリ１０４は、対象ユーザを分類するための様々なデータを格納できる。具体的に、メモリ１０４は、ユーザを特定主題に関連したコンテンツを提供するための対象ユーザに分類するための質問情報を格納し、各ユーザアカウント別のユーザ情報および応答情報を格納できる。様々な実施例において、メモリ１０４は、コンテンツ提供者によって予め要請された少なくとも一つの対象ユーザの数に対する情報を格納できる。前記メモリ１０４は、各ユーザ情報に対応するユーザ内訳情報を格納できる。
【００５９】
プロセッサ１０６は、通信インターフェース１０２およびメモリ１０４と動作可能に連結され、対象ユーザ分類のための様々な命令を遂行する。以下においては、対象ユーザを分類するための動作について具体的に説明する。
プロセッサ１０６は、通信インターフェース１０２を通してユーザ端末２００からユーザ情報を受信し、受信されたユーザ情報に基づいてユーザ分類のための第１質問情報を決定できる。具体的に、プロセッサ１０６は、ユーザ情報に対応して格納されたユーザ内訳情報を確認し、確認されたユーザ内訳情報に基づいて予め設定された質問のうち第１質問情報を決定できる。例えば、第１ユーザが「自動車」に対する質問情報に対して応答した内訳がある場合、プロセッサ１０６は、「自動車」に対する質問情報を除く他の主題に対する質問情報を第１質問情報に決定できる。第１ユーザのユーザ端末に「自動車」に対する質問情報を伝達したが、これに対する応答情報を受信できていない場合、プロセッサ１０６は、「自動車」に対する質問情報を第１質問情報に決定できる。
【００６０】
ユーザ端末２００から第１質問情報に対する応答として第１応答情報が受信されれば、プロセッサ１０６は、第１応答情報に基づいて第１ユーザを既設定された第１応答カテゴリによって分類し、分類された第１ユーザに対する情報をメモリ１０４に格納できる。具体的に、ユーザ端末２００から第１質問情報に対する応答として第１肯定応答を含む第１応答情報が受信されれば、プロセッサ１０６は、第１ユーザを第１コンテンツを提供するための第１対象ユーザに分類し、第１対象ユーザに分類された第１ユーザに対する情報を格納できる。ユーザ端末２００から第１質問情報に対する応答として第１否定応答を含む第１応答情報が受信されれば、プロセッサ１０６は、第１ユーザを第２コンテンツを提供するための第２対象ユーザに分類し、第２対象ユーザに分類された第１ユーザに対する情報を格納できる。
【００６１】
様々な実施例において、プロセッサ１０６は、第１応答カテゴリによって分類された第１対象ユーザまたは第２対象ユーザそれぞれの数を計算し、計算された数が既設定された閾値と一致するかを判断できる。例えば、第１対象ユーザに対する閾値が５００名に設定され、第２対象ユーザに対する閾値が３００名に設定された場合、プロセッサ１０６は、計算された第１対象ユーザの数が５００名と一致するか、または計算された第２対象ユーザの数が３００名と一致するかを判断できる。第１対象ユーザの数が５００名と一致すれば、プロセッサ１０６は、第１対象ユーザのユーザ端末に第１コンテンツを伝達できる。第２対象ユーザの数が３００名と一致すれば、プロセッサ１０６は、第２対象ユーザのユーザ端末に第２コンテンツを伝達できる。
【００６２】
対象ユーザのユーザ端末２００から各コンテンツに対するコンテンツ応答情報が受信されれば、プロセッサ１０６は、コンテンツ応答情報に基づいて補償アイテムを支給し、支給された補償アイテムに対する情報を対象ユーザのユーザ端末２００に伝達できる。例えば、第１対象ユーザのユーザ端末からアンケート調査が完了することを示すコンテンツ応答情報が受信されれば、プロセッサ１０６は、第１対象ユーザのアカウント情報に対応してアンケート調査完了による補償アイテムを支給し、支給された補償アイテムに対する情報を第１対象ユーザのユーザ端末に伝達できる。第２対象ユーザのユーザ端末から広告視聴が完了することを示すコンテンツ応答情報が受信されれば、プロセッサ１０６は、第２対象ユーザのアカウント情報に対応して広告視聴完了による補償アイテムを支給し、支給された補償アイテムに対する情報を第２対象ユーザのユーザ端末に伝達できる。
【００６３】
様々な実施例において、プロセッサ１０６は、第１応答情報が第１否定応答を含めば、予め設定された質問情報のうち第１否定応答をした少なくとも一つのユーザを分類するための第２質問情報を決定し、決定された第２質問情報をユーザ端末２００に伝達できる。前記第２質問情報は、第２応答カテゴリによって第１否定応答をした少なくとも一つのユーザを分類するための第２質問を含むことができる。ここで、第２応答カテゴリは、第２質問情報に関して第１否定応答をした少なくとも一つのユーザが答弁できる第２応答の種類を含むことができる。前記第２応答の種類は、第２肯定応答または第２否定応答であってよい。
【００６４】
ユーザ端末２００から第２質問情報に対する応答として第２応答情報が受信されれば、プロセッサ１０６は、第２応答情報に基づいて第１ユーザを既設定された第２応答カテゴリによって分類し、第２応答カテゴリに分類された第１ユーザに対する情報をメモリ１０４に格納できる。具体的に、ユーザ端末２００から第２肯定応答を含む第２応答情報が受信されれば、プロセッサ１０６は、第１ユーザを第３コンテンツを提供するための第３対象ユーザに分類し、第３対象ユーザに分類された第１ユーザに対する情報を格納できる。ユーザ端末２００から第２否定応答を含む第２応答情報が受信されれば、プロセッサ１０６は、第４コンテンツを提供するための第４対象ユーザに分類し、第４対象ユーザに分類された第１ユーザに対する情報を格納できる。
【００６５】
様々な実施例において、プロセッサ１０６は、第２応答カテゴリによって分類された第３対象ユーザまたは第４対象ユーザそれぞれの数を計算し、計算された数が既設定された閾値と一致するかを判断できる。例えば、第３対象ユーザに対する閾値が３００名に設定され、第４対象ユーザに対する閾値が２００名に設定された場合、プロセッサ１０６は、計算された第３対象ユーザの数が３００名と一致するか、または計算された第４対象ユーザの数が２００名と一致するかを判断できる。第３対象ユーザの数が３００名と一致すれば、プロセッサ１０６は、第３対象ユーザのユーザ端末に第３コンテンツを伝達できる。第４対象ユーザの数が２００名と一致すれば、プロセッサ１０６は、第４対象ユーザのユーザ端末に第４コンテンツを伝達できる。
【００６６】
第３対象ユーザのユーザ端末から第３コンテンツに対するコンテンツ応答情報が受信されれば、プロセッサ１０６は、コンテンツ応答情報に基づいて補償アイテムを支給し、支給された補償アイテムに対する情報を第３対象ユーザのユーザ端末に伝達できる。第４対象ユーザのユーザ端末から第４コンテンツに対するコンテンツ応答情報が受信されれば、プロセッサ１０６は、コンテンツ応答情報に基づいて補償アイテムを支給し、支給された補償アイテムに対する情報を第４対象ユーザのユーザ端末に伝達できる。例えば、第３対象ユーザのユーザ端末からアンケート調査が完了することを示すコンテンツ応答情報が受信されれば、プロセッサ１０６は、第３対象ユーザのアカウント情報に対応してアンケート調査完了による補償アイテムを支給し、支給された補償アイテムに対する情報を第３対象ユーザのユーザ端末から伝達できる。第４対象ユーザのユーザ端末から広告視聴が完了することを示すコンテンツ応答情報が受信されれば、プロセッサ１０６は、第４対象ユーザのアカウント情報に対応して広告視聴完了による補償アイテムを支給し、支給された補償アイテムに対する情報を第３対象ユーザのユーザ端末から伝達できる。
【００６７】
様々な実施例において、第１質問情報は、第１ユーザの好み（または性向、価値観、好感度等）を確認できる第３質問を含み、第１応答カテゴリは、第１質問情報に関して第１ユーザの好みによって答弁可能な第３応答の種類を含むことができる。例えば、第１質問情報は、第１ユーザの好みによって決定され得る少なくとも一つのキーワードのいずれか一つを選択または入力するための第３質問を含み、第３応答の種類は、第１ユーザの好みを示すキーワードを含むことができる。このような場合、プロセッサ１０６は、予め設定された質問情報のうち第３質問を含む第１質問情報を決定し、決定された第１質問情報をユーザ端末２００に伝達できる。ユーザ端末２００から第３質問に対する応答として第１キーワードを含む第１応答情報が受信されれば、プロセッサ１０６は、第１ユーザを第１キーワードに関連したコンテンツを提供するための潜在的な第５対象ユーザに分類し、第５対象ユーザに分類された第１ユーザに対する情報を格納できる。様々な実施例において、コンテンツ提供装置から第１キーワードに関連したコンテンツが受信されれば、プロセッサ１０６は、受信された第１キーワードに対するコンテンツを第５対象ユーザに分類された第１ユーザのユーザ端末に伝達できる。
【００６８】
様々な実施例において、プロセッサ１０６は、応答内訳情報に基づいて各ユーザの応答情報に対する信頼度を判断できる。具体的に、プロセッサ１０６は、ユーザ端末２００から第１質問情報に関して第１ユーザに対する第１応答を含む応答情報が受信されれば、第１ユーザの応答内訳情報を確認して第１ユーザが第１質問情報と類似または同一の質問情報に対して以前に応答した応答内訳が存在するかを判断できる。第１質問情報と類似または同一の質問情報に対して以前に応答した応答内訳が存在すれば、プロセッサ１０６は、以前の応答内訳と受信された応答情報を比較して一致するか否かを判断できる。
【００６９】
以前の応答内訳と受信された応答情報が一致すれば、プロセッサ１０６は、受信された応答情報を信頼度の高い応答と判断できる。以前の応答内訳と受信された応答情報が一致しなければ、プロセッサ１０６は、受信された応答情報が誤った応答情報である可能性が存在すると判断できる。このような場合、プロセッサ１０６は、第１質問情報と類似または同一の質問情報をユーザ端末２００に伝達し、ユーザ端末２００からこれに対する第２応答を含む応答情報が受信されれば、受信された応答情報に基づいて第１応答を含む応答情報が信頼度の高い応答であるか、それとも低い応答であるかを判断できる。例えば、第１応答と第２応答が一致すれば、プロセッサ１０６は、第１応答を信頼度の高い応答と判断し、第１応答と第２応答が一致しなければ、第１応答を信頼度の低い応答と判断できる。
【００７０】
様々な実施例において、プロセッサ１０６は、複数のユーザそれぞれに対する応答内訳情報を性別、年齢等による集団に区分して統計化した統計データをメモリ１０４に格納し、格納された統計データに基づいて応答情報に対する信頼度を判断できる。例えば、プロセッサ１０６は、ユーザ端末２００に「自動車を保有していますか？」のような質問情報を伝達し、ユーザ端末２００から質問情報に対する応答として「いいえ」のような第１応答を含む応答情報が受信され得る。プロセッサ１０６は、第１ユーザのアカウント情報に基づいて第１ユーザの性別または年齢を確認し、確認された性別または年齢と同一の性別または年齢層の集団に対する統計データを第１ユーザの応答情報と比較できる。第１ユーザの性別または年齢と同一の性別または年齢層の集団が「はい」のような応答で応答した場合、統計データと第１ユーザの応答情報が一致しないので、プロセッサ１０６は、第１ユーザの応答情報が誤った応答である可能性があると判断できる。
【００７１】
このような場合、プロセッサ１０６は、「自動車を保有していますか？」と同じ質問情報または類似した質問情報をユーザ端末２００に伝達し、ユーザ端末２００からこれに対する応答情報が受信されれば、受信された応答情報に基づいて第１応答が信頼度の高い応答であるか、それとも低い応答であるかを判断できる。例えば、受信された応答情報が「いいえ」のような第２応答を含めば、プロセッサ１０６は、第１応答を信頼度の高い応答と判断できる。受信された応答情報が「はい」のような第２応答を含めば、プロセッサ１０６は、第１応答を信頼度の低い応答と判断できる。
【００７２】
様々な実施例において、プロセッサ１０６は、質問情報と共に信頼度判断のための追加質問情報をユーザ端末２００に伝達し、ユーザ端末２００から受信された追加質問情報に対する追加応答情報を利用して質問情報に対する応答情報の信頼度を判断することもできる。前記追加質問情報は、質問情報と同一または類似した第４質問を含むことができる。ユーザ端末２００から質問情報に対する応答情報および追加質問情報に対する追加応答情報が受信されれば、プロセッサ１０６は、応答情報と追加応答情報を比較して互いに同一または類似した質問に対する応答が一致すれば、応答情報の信頼度が高いものと判断できる。互いに同一または類似した質問に対する応答が一致しなければ、プロセッサ１０６は、応答情報の信頼度が低いものと判断できる。
【００７３】
様々な実施例において、プロセッサ１０６は、ユーザ端末２００から質問情報に対する応答情報または追加質問情報に対する追加応答情報が受信されれば、受信された応答情報または追加応答情報による補償アイテムを支給し、支給された補償アイテムに対する情報をユーザ端末２００に伝達できる。
【００７４】
様々な実施例において、プロセッサ１０６は、ユーザ端末２００から第１ユーザによって作成された質問をアップロードするための要請と共に作成された質問を含むアップロード情報を受信し、受信されたアップロード情報を質問情報として格納できる。前記プロセッサ１０６は、第１ユーザによって作成された質問を含む質問情報を少なくとも一つのユーザ端末に伝達し、少なくとも一つのユーザ端末から応答情報が受信されれば、応答情報が受信されたユーザ端末の数によって第１ユーザのアカウントに対応して補償アイテムを支給できる。具体的に、プロセッサ１０６は、応答情報が受信されたユーザ端末の数が閾値以上であるかを判断し、判断の結果、ユーザ端末の数が閾値以上であれば、第１ユーザのアカウントに対応して補償アイテムを支給し、支給された補償アイテムに対する情報をユーザ端末２００に伝達できる。
【００７５】
様々な実施例において、プロセッサ１０６は、ユーザの応答内訳情報を利用してユーザが必要とするコンテンツを探索して決定し、決定されたコンテンツをユーザ端末２００に伝達できる。例えば、自動車に関連した様々な質問に関してユーザの累積された応答情報が肯定応答である場合、プロセッサ１０６は、自動車に関連したアンケート調査または広告等のコンテンツをユーザが必要とするコンテンツに決定できる。前記プロセッサ１０６は、このように決定されたコンテンツをコンテンツ提供装置に要請し、要請されたコンテンツがコンテンツ提供装置から受信されれば、前記コンテンツをユーザ端末２００に伝達できる。
【００７６】
図３は、本発明の一実施例に係るユーザ端末を説明するための概略図である。図１乃至図３を参照すると、ユーザ端末２００は、通信インターフェース２０２、メモリ２０４、ディスプレイ２０６およびプロセッサ２０８を含む。
通信インターフェース２０２は、ユーザ端末２００が外部装置と通信可能であるように連結する。例えば、通信インターフェース２０２は、有／無線ネットワークを通して管理装置１００と連結し、様々なデータを送受信できる。具体的に、通信インターフェース２０２は、管理装置１００から特定主題に関連した質問情報を受信し、管理装置１００に質問情報に対する応答情報を伝達できる。前記通信インターフェース２０２は、管理装置１００からコンテンツを受信し、管理装置１００に該当コンテンツに対するコンテンツ応答情報を伝達できる。例えば、コンテンツは、アンケート調査または広告であってよく、コンテンツ応答情報は、アンケート調査を完了することを示す情報または広告視聴を完了することを示す情報を含むことができる。前記通信インターフェース２０２は、管理装置１００から補償アイテムに対する情報を受信できる。
【００７７】
メモリ２０４は、質問情報を表示するか、またはコンテンツ提供のための様々なデータを格納できる。具体的に、メモリ２０４は、質問情報を表示するか、またはコンテンツ提供のためのアプリケーション、プログラムまたはウィジェット等を格納できる。前記メモリ２０４は、通信インターフェース１０２を通して受信された質問情報、コンテンツおよび補償アイテムに対する情報を格納できる。
【００７８】
ディスプレイ１０６は、ユーザに各種のグラフィック客体（例：テキスト、イメージ、ビデオ、アイコン、バナーまたはシンボル等）を表示できる。具体的に、ディスプレイ１０６は、管理装置１００から受信された質問情報、コンテンツまたは補償アイテムに対する情報を表示するためのアプリケーション、プログラムまたはウィジェット等の画面を表示するか、または受信された質問情報、コンテンツおよび補償アイテムに対する情報を表示するためのユーザインターフェースを表示できる。例えば、ディスプレイ１０６は、オフ状態である場合、オン状態に転換し、受信された質問情報、コンテンツまたは補償アイテムに対する情報をロック画面の一部の領域に表示するか、またはロック画面の一部の領域にお知らせウィンドウで重畳して表示できる。
【００７９】
また、ディスプレイ１０６は、受信された質問情報、コンテンツまたは補償アイテムに対する情報をホーム画面（または背景画面）の一部の領域に表示するか、またはホーム画面（または背景画面）の一部の領域にお知らせウィンドウで表示できる。様々な実施例において、ディスプレイ１０６は、受信された質問情報、コンテンツまたは補償アイテムに対する情報をウィジェット表示画面の一部の領域に表示するか、またはウィジェット表示画面の一部の領域にお知らせウィンドウで表示できる。様々な実施例において、ディスプレイ２０６は、タッチスクリーンを含むことができ、例えば、電子ペンまたはユーザの身体の一部を利用したタッチ（ｔｏｕｃｈ）、ジェスチャー（ｇｅｓｔｕｒｅ）、近接、ドラッグ（ｄｒａｇ）、スワイプ（ｓｗｉｐｅ）またはホバリング（ｈｏｖｅｒｉｎｇ）入力等を受信できる。該当入力に対応する入力信号がプロセッサ２０８に伝達され得る。
【００８０】
プロセッサ２０８は、通信インターフェース２０２、メモリ２０４およびディスプレイ２０６と動作可能に連結され、質問情報を表示するか、またはコンテンツを提供するための様々な命令を遂行する。
プロセッサ２０８は、ユーザの要請によってユーザ情報を管理装置１００に伝達し、管理装置１００からコンテンツ提供のためにユーザを分類するための質問情報を受信して表示し、表示された質問情報に対する応答を伝達できるようにユーザインターフェースをディスプレイ２０６を通して表示できる。具体的に、プロセッサ２０８は、コンテンツ提供のためのアプリケーション、プログラムまたはウィジェット等をダウンロードおよび設置できる。前記プロセッサ２０８は、ユーザの要請によってアプリケーションまたはプログラムを実行するか、またはウィジェットを表示できる。様々な実施例において、プロセッサ２０８は、ユーザの要請によってアプリケーションを実行した後、ログインおよび加入のための画面を表示できる。ユーザからログインおよび加入が完了すれば、プロセッサ２０８は、ユーザに対するユーザ情報（例：識別情報またはプロフィール情報）を管理装置１００に伝達できる。
【００８１】
プロセッサ２０８は、通信インターフェース２０２を通して管理装置１００から対象ユーザ分類のための第１質問情報を受信し、受信された第１質問情報に対する応答情報を伝達するためのユーザインターフェースを表示できる。具体的に、プロセッサ２０８は、受信された第１質問情報を示すユーザインターフェースをロック画面の一部の領域に表示するか、または背景画面（またはホーム画面）の一部の領域に表示するか、またはウィジェット表示画面の一部の領域に表示できる。前記ユーザインターフェースは、質問内容を表示する表示領域および質問に対する応答を選択または入力できる応答領域を含むことができる。前記応答領域は、選択型応答のための選択可能な二以上の予め提示された応答を含むか、または記述型応答のための入力領域を含むことができる。
【００８２】
様々な実施例において、プロセッサ２０８は、管理装置１００から第１質問情報が受信されれば、第１質問情報が受信されることを知らせるためのお知らせウィンドウをロック画面、背景画面（またはホーム画面）またはウィジェット表示画面の一部の領域に重畳するように表示できる。前記お知らせウィンドウは、第１質問情報が受信されることを知らせるためのテキストと共に、これを確認または取消すためのボタンを含むことができる。ユーザから第１質問情報を確認するための確認ボタンの選択が入力されれば、プロセッサ２０８は、ロック画面、背景画面、アプリケーション実行画面またはウィジェット表示画面の一部の領域に第１質問情報を表示できる。様々な実施例において、制限時間内にユーザから応答が選択または入力されない場合、ユーザ端末２００は、管理装置１００に新たな質問情報を要請して受信し、受信された新たな質問情報を表示できる。
【００８３】
ユーザから応答領域を通して第１質問情報に対する応答が選択または入力されれば、プロセッサ２０８は、選択または入力された応答を含む第１応答情報を管理装置１００に伝達できる。例えば、第１応答情報には、第１肯定応答または第１否定応答が含まれ得る。第１肯定応答を含む第１応答情報を管理装置１００に伝達した場合、プロセッサ２０８は、管理装置１００から第１肯定応答をした第１対象ユーザに提供するための第１コンテンツを受信できる。第１否定応答を含む第１応答情報を管理装置１００に伝達した場合、プロセッサ２０８は、管理装置１００から第１否定応答をした第２対象ユーザに提供するための第２コンテンツを受信できる。前記プロセッサ２０８は、受信された第１コンテンツまたは第２コンテンツをディスプレイに表示できる。例えば、コンテンツは、アンケート調査データまたは広告データであってよい。様々な実施例において、プロセッサ２０８は、第１コンテンツまたは第２コンテンツが受信されることを知らせるためのお知らせ情報をロック画面、背景画面、アプリケーション実行画面またはウィジェット表示画面等の一部の領域に表示できる。
【００８４】
様々な実施例において、プロセッサ２０８は、第１否定応答を含む第１応答情報を管理装置１００に伝達し、管理装置１００から第１否定応答をした少なくとも一つのユーザを分類するための第２質問情報を受信できる。前記第２質問情報は、第１否定応答をしたユーザを第２応答カテゴリによって分類するための第２質問を含むことができる。前記第２質問情報には、第１否定応答をしたユーザを第２対象ユーザに分類するための第２質問が含まれ得る。例えば、第２質問は、「自動車を保有していないならば、自動車を保有する予定ですか？」のようにユーザが第２肯定応答または第２否定応答で応答できる質問であってよい。第２質問に関してユーザから第２肯定応答が受信されれば、プロセッサ２０８は、第２肯定応答を含む第２応答情報を管理装置１００に伝達し、管理装置１００から第２肯定応答をした第３対象ユーザに提供するための第３コンテンツを受信できる。ユーザから第２否定応答が受信されれば、第２否定応答を含む第２応答情報を管理装置１００に伝達し、管理装置１００から第２否定応答をした第４対象ユーザに提供するための第４コンテンツを受信できる。
【００８５】
管理装置１００からコンテンツが受信されれば、プロセッサ２０８は、コンテンツが受信されることを知らせるためのお知らせウィンドウをロック画面の一部の領域に重畳するように表示するか、または背景画面の一部の領域に重畳するように表示できる。前記お知らせウィンドウは、コンテンツがアンケート情報である場合、「アンケート情報が受信されました。」または「アンケート情報が受信されました。確認しますか？」のようなテキストとアンケート情報を表示するための確認ボタンまたはアンケート情報表示を取消すための取消ボタンを含むことができる。
【００８６】
ユーザから確認ボタンの選択が入力されれば、プロセッサ２０８は、アンケート調査参加のためのアプリケーションを実行し、アプリケーション実行画面に受信されたアンケート情報を表示できる。様々な実施例において、コンテンツが広告である場合、お知らせウィンドウは、「広告が受信されました。」または「広告が受信されました。広告を視聴しますか？」のようなテキストと広告視聴のための確認ボタンまたは広告視聴を取消すための取消ボタンを含むことができる。ユーザから確認ボタンの選択が入力されれば、プロセッサ２０８は、広告視聴のためのユーザインターフェースを表示できる。
【００８７】
プロセッサ２０８は、コンテンツに対するコンテンツ応答情報を管理装置１００に伝達し、管理装置１００からコンテンツ応答情報によって支給された補償アイテムに対する情報を受信できる。例えば、プロセッサ２０８は、アンケート調査に対するアンケート応答情報を含むコンテンツ応答情報または広告視聴が完了することを示すコンテンツ応答情報を管理装置１００に伝達し、管理装置１００からアンケート応答によって支給された補償アイテムに対する補償情報または広告視聴完了によって支給された補償アイテムに対する補償情報を受信できる。前記プロセッサ２０８は、管理装置１００から受信された補償アイテムに対する情報をアプリケーション実行画面に表示するか、またはウィジェットに表示できる。
【００８８】
様々な実施例において、プロセッサ２０８は、管理装置１００から質問情報と共に質問情報に対する信頼度を判断するための追加質問情報を受信し、受信された質問情報および追加質問情報を表示できる。前記追加質問情報は、質問情報と同一または類似した第４質問を含むことができる。ユーザから追加質問情報に対する追加応答が受信されれば、ユーザ端末２００は、追加応答を含む追加応答情報を管理装置１００に伝達できる。
【００８９】
様々な実施例において、プロセッサ２０８は、管理装置１００から質問情報に対する応答情報または追加質問情報に対する追加応答情報によって支給された補償アイテムに対する情報を受信し、受信された補償アイテムに対する情報を格納または表示できる。
【００９０】
様々な実施例において、プロセッサ２０８は、ユーザによって作成された質問をアップロードするためのユーザインターフェースを提供できる。前記ユーザインターフェースは、質問を入力するための質問入力領域または該当質問が選択型質問である場合に選択可能な二以上の応答を入力するための応答入力領域を含み、作成された質問に対するアップロードを要請するためのアップロードアイコンまたはアップロードボタンを含むことができる。ユーザによって質問入力領域を通して質問が入力され、アップロードアイコンまたはアップロードボタンに対する選択が入力されれば、プロセッサ２０８は、ユーザによって作成された質問をアップロードするための要請と共に作成された質問を含むアップロード情報を管理装置１００に伝達できる。前記プロセッサ２０８は、管理装置１００から質問作成によって支給された補償アイテムに対する情報を受信し、受信された補償アイテムに対する情報を表示できる。
【００９１】
図４は、本発明の一実施例に係る管理装置で対象ユーザを分類するための方法を説明するための概略的なフローチャートである。
図１乃至図４を参照すると、少なくとも一つのユーザ端末からユーザ情報が受信され（Ｓ４００）、受信されたユーザ情報を利用して少なくとも一つのユーザを分類するための第１質問情報が決定され（Ｓ４１０）、決定された第１質問情報が少なくとも一つのユーザ端末に伝達される（Ｓ４２０）。少なくとも一つのユーザ端末から第１質問情報に対する応答として第１応答情報が受信される（Ｓ４３０）。受信された第１応答情報に基づいて少なくとも一つのユーザが既設定された第１応答カテゴリによって分類され（Ｓ４４０）、分類された少なくとも一つのユーザに対する情報が格納される（Ｓ４５０）。
【００９２】
図５乃至図１８は、本発明の一実施例に係るユーザ端末での対象ユーザ分類のための質問情報を提供するための方法を説明するための例示図である。図１乃至図３および図５乃至図１８を参照して、ユーザ端末２００で対象ユーザ分類のための質問情報を提供するための方法を具体的に説明する。以下においては、モバイル装置で対象ユーザ分類のための質問情報を提供するためのアプリケーション、プログラムまたはウィジェット等を提供し、ユーザによって該当アプリケーション、プログラムまたはウィジェット等を実行した後、実行されたアプリケーション、プログラムまたはウィジェット等を通して対象ユーザ分類のための質問情報を提供するためのものを例として説明する。
【００９３】
図５を参照すると、ユーザ端末２００は、管理装置１００から対象ユーザ分類のための第１質問情報が受信されれば、受信された第１質問情報を示すユーザインターフェース５１０をロック画面５００の一部の領域に表示できる。前記ユーザインターフェース５１０は、「自動車を保有していますか？」のように第１質問を示すテキスト５２０、第１質問に対する応答時に支給され得る補償アイテムに対する情報を示すテキスト５３０、第１質問に対する第１肯定応答（例：はい）を選択するための第１アイコン５４０、および第１質問に対する第１否定応答（例：いいえ）を選択するための第２アイコン５５０を含むことができる。
【００９４】
ユーザから第１アイコン５４０を選択するためのタッチ入力またはドラッグ（またはスワイプ）入力等が受信されれば、ユーザ端末２００は、第１肯定応答を含む第１応答情報を管理装置１００に伝達できる。ユーザから第２アイコン５５０を選択するためのタッチ入力またはドラッグ入力等が受信されれば、ユーザ端末２００は、第１否定応答を含む第１応答情報を管理装置１００に伝達できる。このような場合、ユーザ端末２００は、ユーザのタッチ入力またはドラッグ（またはスワイプ）入力によってロック画面を解除できる。
【００９５】
図６を参照すると、ユーザ端末２００は、第１否定応答をしたユーザを分類するための第２質問情報が受信されれば、受信された第２質問情報を示すユーザインターフェース６００をロック画面５００の一部の領域に表示できる。前記ユーザインターフェース６００は、「自動車を保有する予定ですか？」のように第２質問を示すテキスト６１０、第２質問に対する第２肯定応答（例：はい）を選択するための第１アイコン６２０、および第２質問に対する第２否定応答（例：いいえ）を選択するための第２アイコン６３０を含むことができる。ユーザから第１アイコン６２０を選択するためのタッチ入力またはドラッグ（またはスワイプ）入力等が受信されれば、ユーザ端末２００は、第２肯定応答を含む第２応答情報を管理装置１００に伝達できる。ユーザから第２アイコン６３０を選択するためのタッチ入力またはドラッグ入力等が受信されれば、ユーザ端末２００は、第２否定応答を含む第２応答情報を管理装置１００に伝達できる。
【００９６】
図７を参照すると、ユーザ端末２００は、管理装置１００から第１ユーザの好みを確認するための第１質問情報が受信されれば、受信された第１質問情報を示すユーザインターフェース７００をロック画面５００の一部の領域に表示できる。前記ユーザインターフェース７００は、「チャジャンミョンが好きですか？ちゃんぽんが好きですか？」のように特定主題（例：チャジャンミョン、ちゃんぽん）に関してユーザの好みを確認するための第３質問を示すテキスト７１０、質問に対する制限時間をカウントするための時間情報７２０、第３質問に関してユーザの好みを示す第１キーワード（例：チャジャンミョン）を選択するための第１アイコン７３０、および第３質問に関してユーザの好みを示す第２キーワード（例：ちゃんぽん）を選択するための第２アイコン７４０を含むことができる。
【００９７】
ユーザから制限時間内に第１アイコン７３０を選択するためのタッチ入力またはドラッグ入力が受信されれば、ユーザ端末２００は、第１キーワードを含む第１応答情報を管理装置１００に伝達できる。ユーザから制限時間内に第２アイコン７４０を選択するためのタッチ入力またはドラッグ入力が受信されれば、ユーザ端末２００は、第２キーワードを含む第１応答情報を管理装置１００に伝達できる。制限時間内にいかなる入力も受信されなければ、ユーザ端末２００は、応答が受信されていないことを示す情報を管理装置１００に伝達し、管理装置１００から新たな質問情報を受信して表示できる。
【００９８】
様々な実施例において、ユーザインターフェース７００は、図８を参照すると、「チャジャンミョンが好きですか？ちゃんぽんが好きですか？」のように特定主題（例：チャジャンミョン、ちゃんぽん）に関してユーザの好みを確認するための第３質問を示すテキスト８００、「好きなだけタッチしてください！！！」のように特定主題に関してユーザの関心度が反映されたタッチ入力を案内するためのテキスト８１０、第３質問に関してユーザの好みを示す第１キーワード（例：チャジャンミョン）を選択するための第１アイコン８２０、および第３質問に関してユーザの好みを示す第２キーワード（例：ちゃんぽん）を選択するための第２アイコン８３０を含むことができる。
【００９９】
例えば、第１アイコン８２０および第２アイコン８３０は、タッチ回数によってユーザの関心度を判断するためのユーザ端末２００の機能に対応し得る。ユーザから第１アイコン８２０に対するタッチ入力が受信されれば、ユーザ端末２００は、ユーザから入力されるタッチ回数をカウントし、カウントされたタッチ回数によって第１キーワードに対するユーザの関心度を判断できる。例えば、ユーザ端末２００は、ユーザから第１アイコン８２０に対する２０回以上のタッチ入力が受信されれば、第１キーワードに対するユーザの関心度を「高い」と判断し、ユーザから第１アイコン８２０に対する１０回以上２０回未満のタッチ入力が受信されれば、第１キーワードに対するユーザの関心度を「中間」と判断し、ユーザから第１アイコン８２０に対する０回以上１０回未満のタッチ入力が受信されれば、第１キーワードに対するユーザの関心度を「低い」と判断できる。ユーザ端末２００は、第１キーワードに対するユーザの関心度を示す情報を管理装置１００に伝達できる。
【０１００】
ユーザから第２アイコン８３０に対するタッチ入力が受信されれば、ユーザ端末２００は、ユーザから入力されるタッチ回数をカウントし、カウントされたタッチ回数によって第２キーワードに対するユーザの関心度を判断できる。例えば、ユーザ端末２００は、ユーザから第２アイコン８３０に対する２０回以上のタッチ入力が受信されれば、第２キーワードに対するユーザの関心度を「高い」と判断し、ユーザから第２アイコン８３０に対する１０回以上２０回未満のタッチ入力が受信されれば、第２キーワードに対するユーザの関心度を「中間」と判断し、ユーザから第２アイコン８３０に対する０回以上１０回未満のタッチ入力が受信されれば、第２キーワードに対するユーザの関心度を「低い」と判断できる。ユーザ端末２００は、第２キーワードに対するユーザの関心度を示す情報を管理装置１００に伝達できる。様々な実施例において、第１キーワードまたは第２キーワードに対する選択およびユーザの関心度を判断するための入力は、タッチ入力だけでなく、スワイプ入力であってもよい。
【０１０１】
このような場合、ユーザ端末２００は、スワイプ入力による軌跡の長さを測定し、測定された軌跡の長さに基づいてユーザの関心度を判断できる。例えば、第１長さ、第２長さ、第３長さそれぞれに対応してユーザの関心度を「高い、中間、低い」に設定した場合、第１キーワードに対するスワイプ入力によって測定された軌跡の長さが第１長さ未満であれば、ユーザ端末２００は、第１キーワードに対するユーザの関心度を「低い」と判断できる。測定された軌跡の長さが第１長さ以上、第２長さ未満である場合、ユーザ端末２００は、第１キーワードに対するユーザの関心度を「中間」と判断できる。測定された軌跡の長さが第２長さ以上である場合、第３長さ未満または第３長さ以上である場合、ユーザ端末２００は、第１キーワードに対するユーザの関心度を「高い」と判断できる。
【０１０２】
様々な実施例において、ユーザインターフェース７００は、図９を参照すると、「好きな食べ物は何ですか？」のように特定主題（例：食べ物）に関してユーザの好みを確認するための第３質問を示すテキスト９００、第３質問に対する叙述型応答を入力するための入力領域９１０、および入力された叙述型応答を格納または管理装置１００に伝達するための機能に対応するボタン（例：応答ボタン）９２０を含むことができる。例えば、ユーザから入力領域９１０を通して「ちゃんぽん」のようなテキストが入力され、ボタン９２０を選択するための入力が受信されれば、ユーザ端末２００は、入力されたテキストを含む第１応答情報を管理装置１００に伝達できる。
【０１０３】
様々な実施例において、ユーザインターフェース７００は、図１０を参照すると、「好きな映画は何ですか？」のように特定主題（例：映画）に関してユーザの好みを確認するための第３質問を示すテキスト１０００、第３質問に関して２つの選択型応答に該当するイメージ（例：Ａ映画ポスターイメージ、Ｂ映画ポスターイメージ）１０１０、１０２０、および選択型応答に該当するイメージのいずれか一つを選択するためのアイコン（例：Ａアイコン、Ｂアイコン）１０３０、１０４０を含むことができる。
【０１０４】
例えば、ユーザからＡ映画を選択するためのＡアイコン１０３０の選択が入力されれば、ユーザ端末２００は、選択された「Ａ映画」を示す第１応答情報を管理装置１００に伝達できる。ユーザからＢ映画を選択するためのＢアイコン１０４０の選択が入力されれば、ユーザ端末２００は、選択された「Ｂ映画」を示す第１応答情報を管理装置１００に伝達できる。
【０１０５】
様々な実施例によれば、ユーザ端末２００は、管理装置１００からコンテンツが受信されれば、受信されたコンテンツを示すユーザインターフェースを表示できる。例えば、受信されたコンテンツが自動車に関連したアンケート調査データである場合、ユーザ端末２００は、図１１のように自動車に関連したアンケート調査を進行するか否かをユーザに質疑するためのユーザインターフェース１１００を表示できる。前記ユーザインターフェース１１００は、「自動車に対するアンケート調査を始めますか？」のようにユーザにアンケート調査を進行するか否かを質疑するためのテキスト１１１０、アンケート調査を始めるための第１アイコン（例：はい）１１２０、およびアンケート調査を取消すための第２アイコン（例：いいえ）１１３０を含むことができる。
【０１０６】
ユーザから第１アイコン１１２０を選択するための入力が受信されれば、ユーザ端末２００は、図１２のようにアンケート調査のためのユーザインターフェース１２００を表示できる。様々な実施例において、ユーザ端末２００は、ロック画面５００を解除し、アンケート調査のためのユーザインターフェース１２００を表示できる。前記ユーザインターフェース１２００は、自動車アンケート調査に参加する場合に支給され得る補償アイテムに対する情報を示すテキスト、予想所要時間を示すテキスト、自動車アンケート調査のためのアンケート質問項目とアンケート質問項目による二以上の選択型応答等を含むことができる。ユーザから図１１の第２アイコン１１３０を選択するための入力が受信されれば、ユーザ端末２００は、ロック画面５００に表示された、自動車に関連したアンケート調査を進行するか否かをユーザに質疑するためのユーザインターフェース１１００を削除できる。
【０１０７】
受信されたコンテンツが自動車に関連した広告データである場合、ユーザ端末２００は、図１３のように自動車に関連した広告を視聴するか否かをユーザに質疑するためのユーザインターフェース１３００を表示できる。前記ユーザインターフェース１３００は、「自動車に対する広告を視聴しますか？」のようにユーザに広告を視聴するか否かを質疑するためのテキスト１３１０、広告視聴を始めるための第１アイコン（例：はい）１３２０、および広告視聴を取消すための第２アイコン（例：いいえ）１３３０を含むことができる。
【０１０８】
ユーザから第１アイコン１３２０を選択するための入力が受信されれば、ユーザ端末２００は、図１４のように広告視聴のための広告表示ウィンドウ１４００をロック画面５００の一部の領域に重畳されるように表示できる。前記広告表示ウィンドウ１４００は、広告を表示する領域、広告を再生するための再生ボタン、広告再生時間を示すバー（ｂａｒ）およびテキスト等を含むことができる。ユーザから図１３の第２アイコン１３２０を選択するための入力が受信されれば、ユーザ端末２００は、ロック画面５００に表示された、自動車に関連した広告を視聴するか否かをユーザに質疑するためのユーザインターフェース１３００を削除できる。
【０１０９】
様々な実施例において、ユーザ端末２００は、図１５のように第１質問情報を示すユーザインターフェース１５１０をウィジェット表示画面１５００の一部の領域に表示できる。例えば、ユーザインターフェース１５１０は、ウィジェットであってよい。前記ユーザインターフェース１５１０は、「自動車を保有していますか？」のように第１質問を示すテキスト１５２０、第１質問に対する第１肯定応答（例：はい）を選択するための第１アイコン１５３０、および第１質問に対する第１否定応答（例：いいえ）を選択するための第２アイコン１５４０を含むことができる。
【０１１０】
ユーザから第１否定応答を選択するための第２アイコン１５４０の選択が入力されれば、ユーザ端末２００は、図１６のように第１否定応答をしたユーザを分類するための第２質問情報を示すユーザインターフェース１６００をウィジェット表示画面１５００の一部の領域に表示できる。前記ユーザインターフェース１６００は、「自動車を保有する予定ですか？」のように第２質問を示すテキスト１６１０、第２質問に対する第２肯定応答（例：はい）を選択するための第１アイコン１６２０、および第２質問に対する第２否定応答（例：いいえ）を選択するための第２アイコン１６３０を含むことができる。ユーザから第１アイコン１６２０を選択するためのタッチ入力またはドラッグ（またはスワイプ）入力等が受信されれば、ユーザ端末２００は、第２肯定応答を含む第２応答情報を管理装置１００に伝達できる。ユーザから第２アイコン１６３０を選択するためのタッチ入力またはドラッグ入力等が受信されれば、ユーザ端末２００は、第２否定応答を含む第２応答情報を管理装置１００に伝達できる。
【０１１１】
様々な実施例において、ユーザ端末２００は、管理装置１００から第１応答情報に対する信頼度を判断するための追加質問情報を受信し、図１７のように受信された追加質問に対してユーザが応答するか否かを質疑するためのユーザインターフェース１７００をロック画面５００の一部の領域に表示できる。前記ユーザインターフェース１７００は、「追加質問に応答しますか？」のようにユーザに追加質問に対して応答するか否かを質疑するためのテキスト１７１０、「応答時、５００ポイントが追加積立されます。」のように追加質問応答時に支給され得る補償アイテムに対する情報を示すテキスト１７２０、追加質問に応答するための第１アイコン（例：はい）１７３０、および追加質問に対する応答を取消すための第２アイコン（例：いいえ）１７４０を含むことができる。
【０１１２】
ユーザから第１アイコン１７３０を選択するための入力が受信されれば、ユーザ端末２００は、図１８のように追加質問情報を示すユーザインターフェース１８００をロック画面５００の一部の領域に表示できる。前記ユーザインターフェース１８００は、「自動車を購入しますか？」のように第１質問情報と同一または類似した第４質問を示すテキスト１８１０、第４質問に対する肯定応答（例：はい）を選択するための第１アイコン１８２０、および第４質問に対する否定応答（例：いいえ）を選択するための第２アイコン１８３０を含むことができる。ユーザから第１アイコン１８２０を選択するための入力が受信されれば、ユーザ端末２００は、肯定応答を含む追加応答情報を管理装置１００に伝達できる。ユーザから第２アイコン１８３０を選択するための入力が受信されれば、ユーザ端末２００は、否定応答を含む追加応答情報を管理装置１００に伝達できる。
【０１１３】
ユーザから図１７の第２アイコン１７４０を選択するための入力が受信されれば、ユーザ端末２００は、ロック表示画面に表示された追加質問に対してユーザが応答するか否かを質疑するためのユーザインターフェース１７０を削除できる。
前記にて説明したアイコンまたはボタンの少なくとも一部は、ロック画面を解除するための機能に対応して、該当アイコンまたはボタンを選択するためのユーザの入力によってロック画面が解除され得る。
【０１１４】
様々な実施例において、管理装置１００は、対象ユーザを分類するための質問情報を提供するアプリケーションに対するＳＤＫ（Ｓｏｆｔｗａｒｅ  Ｄｅｖｅｌｏｐｍｅｎｔ  Ｋｉｔ）を特定サービスに関連したモバイルアプリケーションまたはプログラム等を提供する事業者の外部サーバに提供できる。このような場合、外部サーバは、提供されたＳＤＫを利用して対象分類のための質問情報の提供、質問情報に対する応答の受信および格納、応答内訳に基づいて関連コンテンツを提供する動作を遂行できる。例えば、クーポンサービスアプリケーションを提供する事業者がクーポンサービスを利用する特定対象ユーザを分類しようとする場合、該当事業者の外部サーバは、管理装置１００から提供されたアプリケーションＳＤＫを利用して対象ユーザ分類のための質問情報を設定し、設定された質問情報をクーポンサービスアプリケーションを通してユーザ端末に提供できる。
【０１１５】
具体的に、外部サーバは、ＳＤＫを利用してクーポンサービスのために対象ユーザ分類のための質問情報を設定および格納し、格納された質問情報をクーポンサービスアプリケーションが設けられたユーザ端末に伝達できる。クーポンサービスアプリケーションが設けられたユーザ端末は、外部サーバから対象ユーザ分類のための質問情報が受信されれば、受信された質問情報を示すユーザインターフェースをロック画面の一部の領域に表示し、該当質問情報に対する応答を外部サーバに提供できる。質問情報に対する応答を受信した外部サーバは、受信された応答を格納し、格納された応答内訳に基づいてユーザが必要とするクーポンデータを探索および決定し、決定されたクーポンデータをユーザ端末に伝達できる。
【０１１６】
様々な実施例において、外部サーバは、ＳＤＫを利用して管理装置１００から対象分類のための質問情報を受信し、受信された質問情報をユーザ端末に提供し、ユーザ端末から質問情報に対する応答を受信し、受信された応答を管理装置１００に伝達する動作を遂行できる。例えば、クーポンサービスアプリケーションを提供する事業者の外部サーバが対象ユーザ分類のための質問情報を管理装置１００に要請した場合、管理装置１００は、要請による質問情報を事業者の外部サーバに伝達できる。質問情報を受信した外部サーバは、受信された質問情報をＳＤＫを利用してクーポンサービスアプリケーションが設けられたユーザ端末に伝達できる。質問情報を受信したユーザ端末は、受信された質問情報を示すユーザインターフェースをロック画面の一部の領域に表示し、該当質問情報に対する応答を外部サーバに提供できる。
【０１１７】
ユーザ端末から質問情報に対する応答を受信した外部サーバは、受信された応答を管理装置１００に伝達できる。応答を受信した管理装置１００は、受信された応答を格納し、応答内訳に基づいて関連コンテンツ探索のための情報を外部サーバに伝達できる。例えば、ユーザ端末から受信された応答がパスタを含む場合、管理装置１００は、パスタに対する情報を外部サーバに伝達できる。これを受信した外部サーバは、パスタに関連したクーポンデータを探索および決定してユーザ端末に提供できる。
【０１１８】
様々な実施例において、管理装置１００は、複数の外部サーバそれぞれに要請によって同じ質問情報を提供することで、複数の外部サーバが質問情報を互いに共有するようにすることもできる。
様々な実施例において、管理装置１００は、複数のユーザ端末それぞれから受信された応答を格納し、格納された応答に基づいて関連コンテンツ探索のための情報を複数の外部サーバそれぞれに伝達できる。例えば、管理装置１００は、第１事業者の外部サーバから対象ユーザ分類のための要請が受信されれば、第１事業者が提供するクーポンサービスアプリケーションが設けられたユーザ端末から受信された質問情報に対する応答だけでなく、第２事業者が提供する地図サービスアプリケーションが設けられたユーザ端末から受信された質問情報に対する応答を共に考慮して関連コンテンツ探索のための情報を決定し、決定された情報を第１事業者の外部サーバに伝達できる。
【０１１９】
このように、本発明は、ユーザに対象ユーザ分類のための質問情報を提供し、質問情報に対する応答情報に基づいてユーザを対象ユーザに分類することで、ユーザが特定コンテンツを提供するに適した対象ユーザであるかを判断するために使われる時間およびコスト等を減らすことができるだけでなく、該当ユーザの累積された応答情報を通してユーザが必要とするコンテンツを探索する時間およびコストまで減らすことができる。
また、本発明は、ユーザ端末のロック画面の一部の領域に質問情報を表示することで、ユーザが質問を容易に確認し、確認された質問に関してより便利に応答できる。
【０１２０】
本発明の実施例に係る装置および方法は、様々なコンピュータ手段を通して遂行され得るプログラム命令形態で具現され、コンピュータで読み取り可能な媒体に記録され得る。コンピュータで読み取り可能な媒体は、プログラム命令、データファイル、データ構造等を単独で、または組み合わせて含むことができる。
【０１２１】
コンピュータで読み取り可能な媒体に記録されるプログラム命令は、本発明のために特に設計され、構成されたものであるか、またはコンピュータソフトウェア分野の当業者に公知になって使用可能なものであってもよい。コンピュータで読み取り可能な記録媒体の例には、ハードディスク、フロッピーディスクおよび磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）およびロム（ＲＯＭ）、ラム（ＲＡＭ）、フラッシュメモリ等のようなプログラム命令を格納し、遂行するように特に構成されたハードウェア装置が含まれる。
【０１２２】
また、上述した媒体は、プログラム命令、データ構造等を指定する信号を伝送する搬送波を含む光または金属線、導波管等の伝送媒体であってもよい。プログラム命令の例には、コンパイラにより作られるような機械語コードだけでなく、インタプリタ等を用いてコンピュータにより実行され得る高級言語コードを含む。
上述したハードウェア装置は、本発明の動作を遂行するために一つ以上のソフトウェアモジュールとして作動するように構成され得、その逆も同様である。
【０１２３】
以上、添付の図面を参照して、本発明の実施例をさらに詳細に説明したが、本発明は、必ずしもこのような実施例に限定されるものではなく、本発明の技術思想を外れない範囲内で多様に変形実施され得る。従って、本発明に開示された実施例は、本発明の技術思想を限定するためのものではなく、説明するためのものであり、このような実施例によって本発明の技術思想の範囲が限定されるものではない。それゆえ、以上において記述した実施例は、全ての面で例示的なものであり、限定的ではないものと理解すべきである。本発明の保護範囲は、下記の請求の範囲によって解釈されるべきであり、それと同等な範囲内にある全ての技術思想は、本発明の権利範囲に含まれるものと解釈されるべきである。
【符号の説明】
【０１２４】
１００：管理装置
２００：ユーザ端末
【図１】
2019102045.tif 000003
【図２】
2019102045.tif 000004
【図３】
2019102045.tif 000005
【図４】
2019102045.tif 000006
【図５】
2019102045.tif 000007
【図６】
2019102045.tif 000008
【図７】
2019102045.tif 000009
【図８】
2019102045.tif 000010
【図９】
2019102045.tif 000011
【図１０】
2019102045.tif 000012
【図１１】
2019102045.tif 000013
【図１２】
2019102045.tif 000014
【図１３】
2019102045.tif 000015
【図１４】
2019102045.tif 000016
【図１５】
2019102045.tif 000017
【図１６】
2019102045.tif 000018
【図１７】
2019102045.tif 000019
【図１８】
2019102045.tif 000020
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
通信インターフェース、メモリ、並びに前記通信インターフェースおよび前記メモリに連結されたプロセッサを含む管理装置を用いた対象ユーザを分類するための管理方法において、
少なくとも一つのユーザの端末から前記通信インターフェースを通してユーザ情報を受信するステップと、
前記プロセッサを通して前記受信されたユーザ情報を利用して前記少なくとも一つのユーザを分類するための第１質問情報を決定するステップと、
前記決定された第１質問情報が前記少なくとも一つのユーザの端末のロック画面またはウィジェット表示画面の一部領域に表示されたり、前記決定された第１質問情報を示しているポップアップウィンドウがアプリケーションの実行画面の一部領域に重畳されるように前記決定された第１質問情報を示すユーザーインターフェイスを、前記少なくとも一つのユーザの端末に提供するステップと、
前記少なくとも一つのユーザの端末から前記通信インターフェースを通して第１質問情報に対する応答として第１応答情報を受信するステップと、
前記受信された第１応答情報に基づいて前記少なくとも一つのユーザを既設定された第１応答カテゴリによって分類するステップと、
前記分類された少なくとも一つのユーザに対する情報を前記メモリに格納するステップと、を有し、
前記第１応答カテゴリは、前記第１質問情報に関して前記少なくとも一つのユーザが答弁できる第１応答の種類として、第１肯定応答および第１否定応答を含み、
前記受信された第１応答情報に基づいて前記少なくとも一つのユーザを前記第１応答カテゴリによって分類するステップは、
前記第１応答情報が前記第１肯定応答を含む場合、前記少なくとも一つのユーザを特定主題に関連した第１コンテンツを提供するための第１対象ユーザに分類するステップと、
前記第１応答情報が前記第１否定応答を含む場合、前記少なくとも一つのユーザを特定主題に関連した第２コンテンツを提供するための第２対象ユーザに分類するステップと、を含み、
前記第１応答カテゴリによって分類するステップの後に、前記プロセッサが、前記第１応答カテゴリによって分類された前記第１対象ユーザまたは前記第２対象ユーザのそれぞれの数を計算し、前記計算された数が既設定された閾値と一致するか否かを判断するステップをさらに含むことを特徴とする対象ユーザを分類するための方法。
【請求項２】
前記受信された第１応答情報に基づいて前記少なくとも一つのユーザを前記第１応答カテゴリによって分類するステップは、
前記第１応答情報が前記第１否定応答を含む場合、前記第１否定応答をした少なくとも一つのユーザを分類するための第２質問情報を決定するステップと、
前記決定された第２質問情報を、前記通信インターフェースを通して前記第１否定応答を伝達した少なくとも一つのユーザの端末に伝達するステップと、
前記第１否定応答を伝達した少なくとも一つのユーザの端末から前記通信インターフェースを通して前記第２質問情報に対する応答として第２応答情報を受信するステップと、
前記受信された第２応答情報に基づいて前記第１否定応答をした少なくとも一つのユーザを既設定された第２応答カテゴリによって分類するステップと、
前記第２応答カテゴリによって分類された少なくとも一つのユーザに対する情報を前記メモリに格納するステップと、を含むことを特徴とする請求項１に記載の対象ユーザを分類するための方法。
【請求項３】
前記第２応答カテゴリは、
前記第２質問情報に関して前記第１否定応答をした少なくとも一つのユーザが答弁できる第２応答の種類を含むことを特徴とする請求項２に記載の対象ユーザを分類するための方法。
【請求項４】
前記第２応答の種類は、
第２肯定応答および第２否定応答を含むことを特徴とする請求項３に記載の対象ユーザを分類するための方法。
【請求項５】
前記受信された第２応答情報に基づいて前記第１否定応答をした少なくとも一つのユーザを前記第２応答カテゴリによって分類するステップは、
前記第２応答情報が前記第２肯定応答を含む場合、前記第１否定応答をした少なくとも一つのユーザを特定主題に関連した第３コンテンツを提供するための第３対象ユーザに分類するステップを含むことを特徴とする請求項４に記載の対象ユーザを分類するための方法。
【請求項６】
前記受信された第２応答情報に基づいて前記第１否定応答をした少なくとも一つのユーザを前記第２応答カテゴリによって分類するステップは、
前記第２応答情報が前記第２否定応答を含む場合、前記第１否定応答をした少なくとも一つのユーザを特定主題に関連した第４コンテンツを提供するための第４対象ユーザに分類するステップを含むことを特徴とする請求項４に記載の対象ユーザを分類するための方法。
【請求項７】
前記第１応答カテゴリは、
前記第１質問情報に関して前記少なくとも一つのユーザの好みによって前記少なくとも一つのユーザが答弁できる第３応答の種類を含むことを特徴とする請求項１に記載の対象ユーザを分類するための方法。
【請求項８】
前記第３応答の種類は、
前記少なくとも一つのユーザの好みを示すキーワードを含むことを特徴とする請求項７に記載の対象ユーザを分類するための方法。
【請求項９】
前記受信された第１応答情報に基づいて前記少なくとも一つのユーザを前記第１応答カテゴリによって分類するステップは、
前記第１応答情報が前記キーワードを含む場合、前記少なくとも一つのユーザを前記キーワードに関連したコンテンツを提供するための対象提供者に分類するステップを含むことを特徴とする請求項８に記載の対象ユーザを分類するための方法。
【請求項１０】
通信インターフェース、メモリ、並びに前記通信インターフェースおよび前記メモリに連結されたプロセッサを含む管理装置において、
前記プロセッサは、
少なくとも一つのユーザの端末から前記通信インターフェースを通してユーザ情報を受信し、
前記受信されたユーザ情報を利用して前記少なくとも一つのユーザを分類するための第１質問情報を決定し、
前記決定された第１質問情報が前記少なくとも一つのユーザの端末のロック画面またはウィジェット表示画面の一部領域に表示されたり、前記決定された第１質問情報を示しているポップアップウィンドウがアプリケーションの実行画面の一部領域に重畳されるように前記決定された第１質問情報を示すユーザーインターフェイスを、前記少なくとも一つのユーザの端末に提供し、
前記少なくとも一つのユーザの端末から前記通信インターフェースを通して第１質問情報に対する応答として第１応答情報を受信し、
前記受信された第１応答情報に基づいて前記少なくとも一つのユーザを既設定された第１応答カテゴリによって分類し、
前記分類された少なくとも一つのユーザに対する情報を前記メモリに格納し、
前記第１応答カテゴリは、前記第１質問情報に関して前記少なくとも一つのユーザが答弁できる第１応答の種類として、第１肯定応答および第１否定応答を含み、
前記プロセッサは、前記受信された第１応答情報に基づいて前記少なくとも一つのユーザを前記第１応答カテゴリによって分類する際に、
前記第１応答情報が前記第１肯定応答を含む場合、前記少なくとも一つのユーザを特定主題に関連した第１コンテンツを提供するための第１対象ユーザに分類し、
前記第１応答情報が前記第１否定応答を含む場合、前記少なくとも一つのユーザを特定主題に関連した第２コンテンツを提供するための第２対象ユーザに分類し、
前記プロセッサは、前記第１応答カテゴリによって分類した後に、前記第１応答カテゴリによって分類された前記第１対象ユーザまたは前記第２対象ユーザのそれぞれの数を計算して、前記計算された数が既設定された閾値と一致するか否かを判断することを特徴とする対象ユーザを分類するための装置。
【請求項１１】
通信インターフェース、メモリ、並びに前記通信インターフェースおよび前記メモリに連結されたプロセッサを含む管理装置に対象ユーザを分類するための処理を実行させるプログラムが格納された記録媒体において、
少なくとも一つのユーザの端末から前記通信インターフェースを通してユーザ情報を受信するステップと、
前記受信されたユーザ情報を利用して前記少なくとも一つのユーザを第１対象ユーザに分類するための第１質問情報を決定するステップと、
前記決定された第１質問情報が前記少なくとも一つのユーザの端末のロック画面またはウィジェット表示画面の一部領域に表示されたり、前記決定された第１質問情報を示しているポップアップウィンドウがアプリケーションの実行画面の一部領域に重畳されるように前記決定された第１質問情報を示すユーザーインターフェイスを、前記少なくとも一つのユーザの端末に提供するステップと、
前記少なくとも一つのユーザの端末から前記通信インターフェースを通して第１質問情報に対する応答として第１応答情報を受信するステップと、
前記受信された第１応答情報に基づいて前記少なくとも一つのユーザを既設定された第１応答カテゴリによって分類するステップと、
前記分類された少なくとも一つのユーザに対する情報を前記メモリに格納するステップと、を前記プロセッサに実行させる命令語を格納し、
前記第１応答カテゴリは、前記第１質問情報に関して前記少なくとも一つのユーザが答弁できる第１応答の種類として、第１肯定応答および第１否定応答を含み、
前記受信された第１応答情報に基づいて前記少なくとも一つのユーザを前記第１応答カテゴリによって分類するステップは、
前記第１応答情報が前記第１肯定応答を含む場合、前記少なくとも一つのユーザを特定主題に関連した第１コンテンツを提供するための第１対象ユーザに分類するステップと、
前記第１応答情報が前記第１否定応答を含む場合、前記少なくとも一つのユーザを特定主題に関連した第２コンテンツを提供するための第２対象ユーザに分類するステップと、を含み、
前記第１応答カテゴリによって分類するステップの後に、前記プロセッサに、前記第１応答カテゴリによって分類された前記第１対象ユーザまたは前記第２対象ユーザのそれぞれの数を計算し、前記計算された数が既設定された閾値と一致するか否かを判断するステップを実行させる命令語をさらに格納することを特徴とするコンピュータ読み取り可能な記録媒体。